(57)【特許請求の範囲】
【請求項１】
無線通信デバイスに対する干渉を低減するための方法であって、
無線通信デバイスからハンドオフリクエストを受信することと、
クローズド加入者グループ（ＣＳＧ）をサービスすることに制限され、かつ前記ハンドオフリクエストのハンドインターゲットである、制限されたアクセスのフェムトアクセスポイントを決定することと、
前記フェムトアクセスポイントによってサービスされる前記ＣＳＧの部分ではない前記無線通信デバイスについての前記フェムトアクセスポイントによって受信されるハンドオフ情報メッセージを送信することと、
を備え、
前記ハンドオフ情報メッセージは、前記無線通信デバイスが前記ＣＳＧの部分でないことを示し、かつ前記フェムトアクセスポイントから前記無線通信デバイスへの前記干渉を制限する指示を含む、方法。
【請求項２】
前記方法は、コアネットワーク装置によって実行される、請求項１記載の方法。
【請求項３】
前記ハンドオフ情報メッセージは、前記フェムトアクセスポイントは前記ハンドオフリクエストの前記ハンドインターゲットであることを示す情報を含む、請求項１記載の方法。
【請求項４】
前記ハンドオフ情報メッセージは、前記ハンドインターゲットが送信電力を調整する指示を含む、請求項１記載の方法。
【請求項５】
前記ハンドオフ情報メッセージは、前記ハンドインターゲットが異なるキャリアへ切り替わる指示を含む、請求項１記載の方法。
【請求項６】
前記無線通信デバイスは、前記フェムトアクセスポイントの近くにある、請求項１記載の方法。
【請求項７】
前記無線通信デバイスは、基地局から前記フェムトアクセスポイントへのハンドオフをリクエストする、請求項１記載の方法。
【請求項８】
前記基地局は、マクロ基地局である、請求項７記載の方法。
【請求項９】
前記基地局は、別のフェムトアクセスポイントである、請求項７記載の方法。
【請求項１０】
前記ハンドオフリクエストのハンドインターゲットであるフェムトアクセスポイントを決定することは、
可能性のあるハンドインターゲットのリストを決定することと、
前記無線通信デバイスについてのアップリンク測定値のリクエストを各可能性のあるハンドインターゲットへ送信することと、
各可能性のあるハンドインターゲットから、前記無線通信デバイスについてのアップリンク測定値を受信することと、
前記可能性のあるハンドインターゲットのリストから前記ハンドインターゲットを推定することと、
を備える請求項１記載の方法。
【請求項１１】
前記可能性のあるハンドインターゲットのそれぞれは、フェムトアクセスポイントである、請求項１０記載の方法。
【請求項１２】
前記ハンドオフリクエストは、前記ハンドインターゲットをユニークに識別するには十分ではなく、
前記ハンドオフリクエストは、前記ハンドインターゲットから受信された信号のダウンリンクパイロット信号対雑音比（ＳＮＲ）と前記ハンドインターゲットの疑似雑音（ＰＮ）コードとを含む、
請求項１０記載の方法。
【請求項１３】
前記可能性のあるハンドインターゲットのそれぞれは、同じＰＮコードを使用する、請求項１２記載の方法。
【請求項１４】
アップリンク測定値は、前記無線通信デバイスからの、可能性のあるハンドインターゲットにより受信されたアップリンクパイロット信号強度の測定値を含む、請求項１０記載の方法。
【請求項１５】
前記アップリンク測定値のリクエストは、前記無線通信デバイスのアップリンク動作周波数を含む、請求項１０記載の方法。
【請求項１６】
前記ハンドオフリクエストのハンドインターゲットであるフェムトアクセスポイントを決定することは、前記フェムトアクセスポイントから受信されるオーバーヘッドメッセージを用いて達成され、前記オーバーヘッドメッセージは、前記ハンドインターゲットとして前記フェムトアクセスポイントを識別するための追加情報を含む、請求項１記載の方法。
【請求項１７】
無線通信デバイスに対する干渉を低減するために構成されたデバイスであって、
プロセッサと、
前記プロセッサと電子通信するメモリと、
前記メモリに記憶された命令と、
を備え、前記命令は、前記プロセッサによって、
無線通信デバイスからハンドオフリクエストを受信することと、
クローズド加入者グループ（ＣＳＧ）をサービスすることに制限され、かつ前記ハンドオフリクエストのハンドインターゲットである、制限されたアクセスのフェムトアクセスポイントを決定することと、
前記フェムトアクセスポイントによってサービスされる前記ＣＳＧの部分ではない前記無線通信デバイスについての前記フェムトアクセスポイントによって受信されるハンドオフ情報メッセージを送信することと、
が実行可能であり、
前記ハンドオフ情報メッセージは、前記無線通信デバイスが前記ＣＳＧの部分でないことを示し、かつ前記フェムトアクセスポイントから前記無線通信デバイスへの前記干渉を制限する指示を含む、デバイス。
【請求項１８】
前記デバイスは、コアネットワーク装置である、請求項１７に記載のデバイス。
【請求項１９】
前記ハンドオフ情報メッセージは、前記フェムトアクセスポイントが前記ハンドオフリクエストの前記ハンドインターゲットであることを示す情報を含む、請求項１７記載のデバイス。
【請求項２０】
前記ハンドオフ情報メッセージは、前記ハンドインターゲットが送信電力を調整する指示を含む、請求項１７記載のデバイス。
【請求項２１】
前記ハンドオフ情報メッセージは、前記ハンドインターゲットが異なるキャリアへ切り替わる指示を含む、請求項１７記載のデバイス。
【請求項２２】
前記無線通信デバイスは、前記フェムトアクセスポイントの近くにある、請求項１７記載のデバイス。
【請求項２３】
前記無線通信デバイスは、基地局から前記フェムトアクセスポイントへのハンドオフをリクエストする、請求項１７記載のデバイス。
【請求項２４】
前記基地局は、マクロ基地局である、請求項２３記載のデバイス。
【請求項２５】
前記基地局は、別のフェムトアクセスポイントである、請求項２３記載のデバイス。
【請求項２６】
前記ハンドオフリクエストのハンドインターゲットであるフェムトアクセスポイントを決定することは、
可能性のあるハンドインターゲットのリストを決定することと、
前記無線通信デバイスについてのアップリンク測定値のリクエストを各可能性のあるハンドインターゲットへ送信することと、
各可能性のあるハンドインターゲットから、前記無線通信デバイスについてのアップリンク測定値を受信することと、
前記可能性のあるハンドインターゲットのリストから前記ハンドインターゲットを推定することと、
を備える請求項１７に記載のデバイス。
【請求項２７】
前記可能性のあるハンドインターゲットのそれぞれは、フェムトアクセスポイントである、請求項２６記載のデバイス。
【請求項２８】
前記ハンドオフリクエストは、前記ハンドインターゲットをユニークに識別するには十分ではなく、
前記ハンドオフリクエストは、前記ハンドインターゲットから受信された信号のダウンリンクパイロット信号対雑音比（ＳＮＲ）と前記ハンドインターゲットの疑似雑音（ＰＮ）コードとを含む、
請求項２６記載のデバイス。
【請求項２９】
前記可能性のあるハンドインターゲットのそれぞれは、同じＰＮコードを使用する、請求項２８記載のデバイス。
【請求項３０】
アップリンク測定値は、前記無線通信デバイスからの、可能性のあるハンドインターゲットにより受信されたアップリンクパイロット信号強度の測定値を含む、請求項２６記載のデバイス。
【請求項３１】
前記アップリンク測定値のリクエストは、前記無線通信デバイスのアップリンク動作周波数を含む、請求項２６記載のデバイス。
【請求項３２】
前記ハンドオフリクエストのハンドインターゲットであるフェムトアクセスポイントを決定することは、前記フェムトアクセスポイントから受信されるオーバーヘッドメッセージを用いて達成され、前記オーバーヘッドメッセージは、前記ハンドインターゲットとして前記フェムトアクセスポイントを識別するための追加情報を含む、請求項１７記載のデバイス。
【請求項３３】
無線通信デバイスに対する干渉を低減するための方法であって、
クローズド加入者グループ（ＣＳＧ）をサービスすることに制限される、制限されたアクセスのフェムトアクセスポイントにおいて、前記ＣＳＧの部分ではない無線通信デバイスが前記フェムトアクセスポイントにより送信された信号を受信していることを示すハンドオフ情報メッセージを受信することと、
前記ハンドオフ情報メッセージに少なくとも部分的に基づいて、前記無線通信デバイスが近くにあり、かつ前記ＣＳＧの部分ではないことを決定することと、
前記無線通信デバイスが近くにあり、かつ前記ＣＳＧの部分ではないという前記決定と、前記ハンドオフ情報メッセージにおける前記干渉を制限する指示とに少なくとも部分的に基づいて、前記フェムトアクセスポイントから前記無線通信デバイスへの干渉を制限することと、
を備える方法。
【請求項３４】
前記干渉を制限することは、前記フェムトアクセスポイントの送信電力を調整することを含む、請求項３３記載の方法。
【請求項３５】
前記ハンドオフ情報メッセージは、前記フェムトアクセスポイントが使用するための新たな送信電力を含む、請求項３４記載の方法。
【請求項３６】
前記干渉を制限することは、前記指示に応じて、前記フェムトアクセスポイントを異なるキャリアへ切り替えることを含む、請求項３３記載の方法。
【請求項３７】
前記ハンドオフ情報メッセージは、前記フェムトアクセスポイントが使用するための前記異なるキャリアを含む、請求項３６記載の方法。
【請求項３８】
前記ハンドオフ情報メッセージは、コアネットワークにより送信される、請求項３３記載の方法。
【請求項３９】
前記コアネットワークから、前記無線通信デバイスについてのアップリンク測定値のリクエストを受信することと、前記アップリンク測定値のリクエストは、前記無線通信デバイスのアップリンクパイロット周波数を含み、
前記無線通信デバイスの前記アップリンクパイロット周波数に合わせることと、
前記無線通信デバイスからのアップリンク信号を受信することと、
前記受信されたアップリンク信号からアップリンク測定値を生成することと、
前記アップリンク測定値を前記コアネットワークへ送信することと、
をさらに備える請求項３８記載の方法。
【請求項４０】
前記無線通信デバイスは、基地局とアクティブな呼があり、
前記ハンドオフ情報メッセージは、前記無線通信デバイスが前記基地局から前記フェムトアクセスポイントへハンドオフしようとしていることを示す、
請求項３３記載の方法。
【請求項４１】
無線通信デバイスに対する干渉を低減するように構成された無線デバイスであって、
プロセッサと、
前記プロセッサと電子通信するメモリと、
前記メモリに記憶された命令と、
を備え、前記命令は、前記プロセッサによって、
クローズド加入者グループ（ＣＳＧ）をサービスすることに制限される、制限されたアクセスのフェムトアクセスポイントを動作することと、
前記ＣＳＧの部分ではない無線通信デバイスが前記フェムトアクセスポイントにより送信された信号を受信していることを示すハンドオフ情報メッセージを受信することと、
前記ハンドオフ情報メッセージに少なくとも部分的に基づいて、前記無線通信デバイスが近くにあり、かつ前記ＣＳＧの部分ではないことを決定することと、
前記無線通信デバイスが近くにあり、かつ前記ＣＳＧの部分ではないという前記決定と、前記ハンドオフ情報メッセージにおける前記干渉を制限する指示とに少なくとも部分的に基づいて、前記フェムトアクセスポイントから前記無線通信デバイスへの干渉を制限することと、
が実行可能である、無線デバイス。
【請求項４２】
前記干渉を制限することは、前記フェムトアクセスポイントの送信電力を調整することを含む、請求項４１記載の無線デバイス。
【請求項４３】
前記ハンドオフ情報メッセージは、前記フェムトアクセスポイントが使用するための新たな送信電力を含む、請求項４２記載の無線デバイス。
【請求項４４】
前記干渉を制限することは、前記指示に応じて、前記フェムトアクセスポイントを異なるキャリアへ切り替えることを含む、請求項４１記載の無線デバイス。
【請求項４５】
前記ハンドオフ情報メッセージは、前記フェムトアクセスポイントが使用するための前記異なるキャリアを含む、請求項４４記載の無線デバイス。
【請求項４６】
前記ハンドオフ情報メッセージは、コアネットワークにより送信される、請求項４１記載の無線デバイス。
【請求項４７】
前記命令は、さらに、
前記コアネットワークから、前記無線通信デバイスについてのアップリンク測定値のリクエストを受信することと、前記アップリンク測定値のリクエストは、前記無線通信デバイスのアップリンクパイロット周波数を含み、
前記無線通信デバイスの前記アップリンクパイロット周波数に合わせることと、
前記無線通信デバイスからのアップリンク信号を受信することと、
前記受信されたアップリンク信号からアップリンク測定値を生成することと、
前記アップリンク測定値を前記コアネットワークへ送信することと、
が実行可能である、請求項４６記載の無線デバイス。
【請求項４８】
前記無線通信デバイスは、基地局とアクティブな呼があり、
前記ハンドオフ情報メッセージは、前記無線通信デバイスが前記基地局から前記フェムトアクセスポイントへハンドオフしようとしていることを示す、
請求項４１記載の無線デバイス。
【請求項４９】
無線通信デバイスに対する干渉を低減するように構成された無線デバイスであって、
無線通信デバイスからハンドオフリクエストを受信する手段と、
クローズド加入者グループ（ＣＳＧ）をサービスすることに制限され、かつ前記ハンドオフリクエストのハンドインターゲットである、制限されたアクセスのフェムトアクセスポイントを決定する手段と、
前記ＣＳＧの部分ではない前記無線通信デバイスについての前記フェムトアクセスポイントによって受信されるハンドオフ情報メッセージを送信する手段と、
を備え、
前記ハンドオフ情報メッセージは、前記無線通信デバイスが前記ＣＳＧの部分でないことを示し、かつ前記フェムトアクセスポイントから前記無線通信デバイスへの前記干渉を制限する指示を含む、
無線デバイス。
【請求項５０】
無線通信デバイスに対する干渉を低減するためのコンピュータプログラムであって、
少なくとも１つのコンピュータに、無線通信デバイスからハンドオフリクエストを受信させるコードと、
少なくとも１つのコンピュータに、クローズド加入者グループ（ＣＳＧ）をサービスすることに制限され、かつ前記ハンドオフリクエストのハンドインターゲットである、制限されたアクセスのフェムトアクセスポイントを決定させるコードと、
少なくとも１つのコンピュータに、前記無線通信デバイスについての前記フェムトアクセスポイントによって受信されるハンドオフ情報メッセージを送信させるコードと、
を備え、
前記ハンドオフ情報メッセージは、前記無線通信デバイスが前記ＣＳＧの部分でないことを示し、かつ前記フェムトアクセスポイントから前記無線通信デバイスへの前記干渉を制限する指示を含む、
コンピュータプログラム。
【請求項５１】
無線通信デバイスに対する干渉を低減するように構成された無線デバイスであって、
クローズド加入者グループ（ＣＳＧ）をサービスすることに制限される、制限されたアクセスのフェムトアクセスポイントにおいて、前記ＣＳＧの部分ではない無線通信デバイスが前記フェムトアクセスポイントにより送信された信号を受信していることを示すハンドオフ情報メッセージを受信する手段と、
前記ハンドオフ情報メッセージに少なくとも部分的に基づいて、前記無線通信デバイスが近くにあり、かつ前記ＣＳＧの部分ではないことを決定する手段と、
前記無線通信デバイスが近くにあり、かつ前記ＣＳＧの部分ではないという前記決定と、前記ハンドオフ情報メッセージにおける前記干渉を制限する指示とに少なくとも部分的に基づいて、前記フェムトアクセスポイントから前記無線通信デバイスへの干渉を制限する手段と、
を備える無線デバイス。
【請求項５２】
無線通信デバイスに対する干渉を低減するためのコンピュータプログラムであって、
少なくとも１つのコンピュータに、クローズド加入者グループ（ＣＳＧ）をサービスすることに制限される、制限されたアクセスのフェムトアクセスポイントにおいて、前記ＣＳＧの部分ではない無線通信デバイスが前記フェムトアクセスポイントにより送信された信号を受信していることを示すハンドオフ情報メッセージを受信させるコードと、
少なくとも１つのコンピュータに、前記ハンドオフ情報メッセージに少なくとも部分的に基づいて、前記無線通信デバイスが近くにあり、かつ前記ＣＳＧの部分ではないことを決定させるコードと、
少なくとも１つのコンピュータに、前記無線通信デバイスが近くにあり、かつ前記ＣＳＧの部分ではないという前記決定と、前記ハンドオフ情報メッセージにおける前記干渉を制限する指示とに少なくとも部分的に基づいて、前記フェムトアクセスポイントから前記無線通信デバイスへの干渉を制限させるコードと、
を備える、
コンピュータプログラム。
【請求項５３】
無線通信デバイスに対する干渉を低減するための方法であって、
無線通信デバイスからハンドオフリクエストを受信することと、
クローズド加入者グループ（ＣＳＧ）をサービスすることに制限され、かつ前記ハンドオフリクエストのハンドインターゲットである、制限されたアクセスのフェムトアクセスポイントを決定することと、
前記フェムトアクセスポイントが前記ハンドインターゲットであることおよび前記無線通信デバイスが前記ＣＳＧの部分でないことを示す、前記無線通信デバイスについての前記フェムトアクセスポイントへのハンドオフ情報メッセージを送信することと、
前記無線通信デバイスに対する干渉を制限するために、前記フェムトアクセスポイントにおいて、送信電力およびキャリアの調整を行うことと、
を備える方法。
【発明の詳細な説明】
【関連出願】
【０００１】
本願は、「Femtocell Carrier and Power Adjustment to Minimize Interference to Non-Associated Users」に関する２００９年５月１９日に出願された米国仮出願番号第６１／１７９，４５５号に関連し、その優先権を主張する。
【技術分野】
【０００２】
本開示は、一般的に無線通信システムに関する。より具体的には、本開示は、関連づけられていないユーザに対する干渉を最小化するためのシステムおよび方法に関する。
【背景技術】
【０００３】
無線通信システムは、世界の多くの人々が通信するようになった重要な手段となっている。無線通信システムは多くのモバイル局のための通信を提供し、それらの各々は基地局によってサービスされる。
【０００４】
選択グループのモバイル局に対してサービスを提供するローカライズされた基地局を使用することは有益でありうる。これらのローカライズされた基地局は、通常の基地局よりもより少ない電力を使用することができ、小さいカバレッジエリアを有することができる。その結果、ローカライズされた基地局は、アクティブな音声／データアクセスをモバイル局に提供することができる。ローカライズされた基地局が改善し続けるにつれて、より多くのローカライズされた基地局が普及するようになるだろう。
【０００５】
ローカライズされた基地局の例は、フェムトセルとピコセルを含む。ローカライズされた基地局は、一般性の損失（loss of generality）のないフェムトアクセスポイントと呼ばれうる。これらのローカライズされた基地局は、ユーザによって制御されうる。例えば、ローカライズされた基地局は、エンドユーザによって購入され、家庭環境またはオフィスに配置されて、無線カバレッジを増やすことができる。ローカライズされた基地局はまた、サービスプロバイダによって制御されうる。例えば、サービスプロバイダは、高いトラヒックを伴って、公共の場にローカライズされた基地局を配置することができる。
【０００６】
モバイル局がローカライズされた基地局に近づくと、モバイル局は、ローカライズされた基地局を検出し、登録リクエストを送信することによって、それにアクセスすることを試みることができる。ローカライズされた基地局は、その後で、モバイル局との音声／データ接続のような異なるサービスに関して、このモバイル局へのアクセスを許容するかどうかを決定することができる。これらのローカライズされた基地局の近くにあるが選択グループの一部ではないモバイル局は、ローカライズされた基地局から強い干渉を受信する場合がある。この強い干渉は、いくつかの事例では、モバイル局が通常の基地局へのアクセスを得ることを防げる。このため、モバイル局上でローカライズされた基地局の干渉を最小化することによって利益が実現されうる。
【発明の概要】
【０００７】
無線通信デバイスに対する干渉を低減するための方法が開示される。ハンドオフリクエストは無線通信デバイスから受信される。該ハンドオフリクエストのハンドインターゲットであるフェムトアクセスポイントが決定される。該フェムトアクセスポイントへハンドオフ情報メッセージが送信される。
【０００８】
該方法はコアネットワークにより実行される。該ハンドオフ情報メッセージは、該フェムトアクセスポイントは該ハンドオフリクエストの該ハンドインターゲットであることを示す情報を含む。該ハンドオフ情報メッセージは、該ハンドインターゲットが送信電力を調整するための指示、または、該ハンドインターゲットが異なるキャリアへ切り替わるための指示を含む。該無線通信デバイスは、該フェムトアクセスポイントに関連するクローズド加入者グループ（ＣＳＧ）の部分ではない。該無線通信デバイスは、該フェムトアクセスポイントの近くにある。
【０００９】
該無線通信デバイスは、基地局から該フェムトアクセスポイントへのハンドオフをリクエストする。該基地局はマクロ基地局、または別のフェムトアクセスポイントである。該ハンドオフリクエストのハンドインターゲットであるフェムトアクセスポイントを決定することは、可能性のあるハンドインターゲットのリストを決定することと、該無線通信デバイスについてのアップリンク測定値のリクエストを各可能性のあるハンドインターゲットへ送信することと、各可能性のあるハンドインターゲットから、該無線通信デバイスについてのアップリンク測定値を受信することと、該可能性のあるハンドインターゲットのリストから該ハンドインターゲットを推定することと、を備える。
【００１０】
該可能性のあるハンドインターゲットのそれぞれは、フェムトアクセスポイントである。該ハンドオフリクエストは、該ハンドインターゲットをユニークに識別するには十分ではない。該ハンドオフリクエストは、該ハンドインターゲットから受信された信号のダウンリンクパイロット信号対雑音比（ＳＮＲ）と該ハンドインターゲットの疑似雑音（ＰＮ）コードとを含む、可能性のあるハンドインターゲットのそれぞれは、同じＰＮコードを使用する。アップリンク測定値は、該無線通信デバイスからの、可能性のあるハンドインターゲットにより受信されたアップリンク信号強度の測定値を含む。該アップリンク測定値のリクエストは、該無線通信デバイスのアップリンク動作周波数を含む。該ハンドオフリクエストのハンドインターゲットであるフェムトアクセスポイントを決定することは、該フェムトアクセスポイントから受信されるオーバーヘッドメッセージを用いて達成される。
【００１１】
無線通信デバイスに対する干渉を低減するために構成された無線デバイスが開示される。該デバイスは、プロセッサと、該プロセッサと電子通信するメモリと、該メモリに記憶された命令と、を備える。該命令は、該プロセッサによって、無線通信デバイスからハンドオフリクエストを受信することが実行可能である。該命令は、該プロセッサによって、該ハンドオフリクエストのハンドインターゲットであるフェムトアクセスポイントを決定することも実行可能である。該命令はさらに、該プロセッサによって、該フェムトアクセスポイントへハンドオフ情報メッセージを送信することが実行可能である。
【００１２】
フェムトアクセスデバイスにより、無線通信デバイスに対する干渉を低減するための方法が開示される。ハンドオフ情報メッセージが受信される。該ハンドオフ情報メッセージは、無線通信デバイスが該フェムトアクセスポイントにより送信された信号を受信していることを示す。該無線通信デバイスは、前記フェムトアクセスポイントに関連するクローズド加入者グループ（ＣＳＧ）の部分ではない。該フェムトアクセスポイントから該無線通信デバイスへの干渉が制限される。
【００１３】
干渉を制限することは、該フェムトアクセスポイントの送信電力を調整することを含む。該ハンドオフ情報メッセージは、該フェムトアクセスポイントが使用するための新たな送信電力を含む。干渉を制限することは、異なるキャリアへ切り替えることを含む。該ハンドオフ情報メッセージは、該フェムトアクセスポイントが使用するための該異なるキャリアを含む。該ハンドオフ情報メッセージは、コアネットワークにより送信される。
【００１４】
該無線通信デバイスについてのアップリンク測定値のリクエストは、該コアネットワークから受信される。該アップリンク測定値のリクエストは、該無線通信デバイスのアップリンクパイロット周波数を含む。該方法は、該無線通信デバイスの該アップリンクパイロット周波数に合わせることを含む。該無線通信デバイスからのアップリンク信号が受信される。該受信されたアップリンク信号からアップリンク測定値が生成される。該アップリンク測定値が該コアネットワークへ送信される。該無線通信デバイスは、基地局とアクティブな呼を有し、該ハンドオフ情報メッセージは、該無線通信デバイスが該基地局から該フェムトアクセスポイントへハンドオフしようとしていることを示す。
【００１５】
無線通信デバイスに対する干渉を低減するように構成された無線デバイスが開示される。該無線通信デバイスは、プロセッサと、該プロセッサと電子通信するメモリと、該メモリに記憶された命令と、を備える。該命令は、該プロセッサによって、ハンドオフ情報メッセージを受信することが実行可能である。該ハンドオフ情報メッセージは、無線通信デバイスが該フェムトアクセスポイントにより送信された信号を受信していることを示す。該無線通信デバイスは、該フェムトアクセスポイントに関連するクローズド加入者グループ（ＣＳＧ）の部分ではない。該命令は、また、該フェムトアクセスポイントから該無線通信デバイスへの干渉を制限することが実行可能である。
【００１６】
無線通信デバイスに対する干渉を低減するように構成された無線デバイスも開示される。該無線デバイスは、無線通信デバイスからハンドオフリクエストを受信する手段を備える。該無線デバイスは、また、該ハンドオフリクエストのハンドインターゲットであるフェムトアクセスポイントを決定する手段を備える。該無線デバイスは、さらに、該フェムトアクセスポイントへハンドオフ情報メッセージを送信する手段を備える。
【００１７】
無線通信デバイスに対する干渉を低減するためのコンピュータプログラムプロダクトが開示される。該コンピュータプログラムプロダクトは、命令を有するコンピュータ可読媒体を備える。該命令は、無線通信デバイスからハンドオフリクエストを受信するためのコードを含む。該命令は、また、該ハンドオフリクエストのハンドインターゲットであるフェムトアクセスポイントを決定するためのコードを含む。該命令は、さらに、該フェムトアクセスポイントへハンドオフ情報メッセージを送信するためのコードを含む。
【００１８】
無線デバイスに対する干渉を低減するように構成された無線デバイスが開示される。該無線デバイスは、ハンドオフ情報メッセージを受信する手段を備える。該ハンドオフ情報メッセージは、無線デバイスが該フェムトアクセスポイントにより送信された信号を受信していることを示す。該無線デバイスは、該フェムトアクセスポイントに関連するクローズド加入者グループ（ＣＳＧ）の部分ではない。が無線デバイスは、また、該フェムトアクセスポイントから該無線デバイスへの干渉を制限する手段を備える。
【００１９】
無線通信デバイスに対する干渉を低減するためのコンピュータプログラムプロダクトが開示される。該コンピュータプログラムプロダクトは、命令を有するコンピュータ可読媒体を備る。該命令は、ハンドオフ情報メッセージを受信するためのコードを含む。該ハンドオフ情報メッセージは、無線通信デバイスが該フェムトアクセスポイントにより送信された信号を受信していることを示す。該無線通信デバイスは、前記フェムトアクセスポイントに関連するクローズド加入者グループ（ＣＳＧ）の部分ではない。該命令は、また、該フェムトアクセスポイントから該無線通信デバイスへの干渉を制限するためのコードを備える。
【００２０】
無線通信デバイスに対する干渉を低減するための方法も開示される。ハンドオフリクエストが無線通信デバイスから受信される。該ハンドオフリクエストのハンドインターゲットであるフェムトアクセスポイントが決定される。該フェムトアクセスポイントへハンドオフ情報メッセージが送信される。該無線通信デバイスに対する干渉を制限するために、該フェムトアクセスポイントにおいて、送信電力およびキャリア調整が行われる。
【図面の簡単な説明】
【００２１】
【図１】図１は、複数の無線デバイスを伴った無線通信システムを示す。
【図２】図２は、周辺配置モジュール（vicinity deployment module）のブロック図である。
【図３】図３は、フェムトアクセスポイントの近くの無線通信デバイスに対する干渉を最小化するための方法のフロー図である。
【図３Ａ】図３Ａは、図３の方法に対応するミーンズプラスファンクションブロックを図示する。
【図４】図４は、フェムトアクセスポイントの近くの無線通信デバイスに対する干渉を最小化するための別の方法のフロー図である。
【図４Ａ】図４Ａは、図４の方法に対応するミーンズプラスファンクションブロックを図示する。
【図５】図５は、フェムトアクセスポイントの近くの無線通信デバイスに対する干渉を最小化するモバイル探知手法を図示するタイミング図である。
【図６】図６は、無線通信デバイスからコアネットワークへのハンドオフリクエストの送信を図示する。
【図７】図７は、干渉管理のための方法のフロー図である。
【図７Ａ】図７Ａは、図７の方法に対応するミーンズプラスファンクションブロックを図示する。
【図８】図８は、モバイル探知のための方法のフロー図である。
【図８Ａ】図８Ａは、図８の方法に対応するミーンズプラスファンクションブロックを図示する。
【図９】図９は、干渉管理の別の方法のフロー図である。
【図９Ａ】図９Ａは、図９の方法に対応するミーンズプラスファンクションブロックを図示する。
【図１０】図１０は、フェムトアクセスポイント内に含まれうる、あるコンポーネントを図示する。
【図１１】図１１は、コアネットワーク装置内に含まれうる、あるコンポーネントを図示する。
【図１２】図１２は、多入力多出力（ＭＩＭＯ）システムにおける２つの無線デバイスを図示する。
【図１３】図１３は、ここにおける教示が実装されうる、多数のユーザをサポートするように構成された無線通信システムを図示する。
【図１４】図１４は、１つまたは複数のフェムトノードがネットワーク環境内で配置される例示的な通信システムを図示する。
【図１５】図１５は、いくつかのトラッキングエリア（またはルーティングエリアまたはロケーションエリア）が定義されるカバレッジマップを図示する。
【発明を実施するための形態】
【００２２】
図１は、複数の無線デバイスを伴った無線通信システム１００を示す。無線通信システム１００は、例えば音声、データなどのような様々なタイプの通信コンテンツを提供するように広く展開されている。これらのシステムは、利用可能なシステムリソース（例、帯域幅および送信電力）を共有することによって、複数のユーザとの通信をサポートすることができる多元接続システムであってもよい。無線デバイスは、基地局１０２、無線通信デバイス１０４またはフェムトアクセスポイント１０６であってもよい。コアネットワーク１１４はまた、図１で図示される。
【００２３】
コアネットワーク１１４は、コアネットワーク１１４に接続される顧客に対して様々なサービスを提供するテレコミュニケーションネットワークの中心部分である。コアネットワーク１１４は、複数の無線通信デバイス１０４間で無線通信を容易にする単独のエンティティまたは複数のエンティティであってもよい。コアネットワーク１１４は、１つまたは複数のロケーションにおいて複数のプロセッサを含みうる。コアネットワーク１１４は、１つの装置、または、複数の装置からなるグループであってもよい。コアネットワーク１１４の主な機能のうちの１つは、公衆交換電話網（ＰＴＳＮ）にわたって呼び出しをルーティングすることである。コアネットワーク１１４は、異なるサブネットワーク間の情報の交換のためのパスを提供することができる。コアネットワーク１１４は、スイッチまたはルータを含みうる。
【００２４】
基地局１０２は、１つまたは複数の無線通信デバイスと通信する局である。基地局１０２はまた、アクセスポイント、ブロードキャスト送信機、ＮｏｄｅＢ、発展型ＮｏｄｅＢと呼ばれることができ、それらの機能のうちのいくつかまたはすべてを含みうる。「基地局」という用語がここにおいて使用されるであろう。各基地局１０２は、特定の地理領域のための通信カバレッジを提供する。基地局１０２は、１つまたは複数の無線通信デバイス１０４のための通信カバレッジを提供することができる。用語「セル」は、用語が使用される文脈によって、基地局１０２および／またはそのカバレッジエリア１０６を指すことがある。
【００２５】
基地局１０２は、発展型ノードＢ（ｅＮＢ：evolved NodeB）と呼ばれうる。半自律的な基地局（semi-autonomous base station）は、ホーム発展型ノードＢ（ＨｅＮＢ：home evolved NodeB）と呼ばれうる。したがって、ＨｅＮＢは、ｅＮＢの一例であることができる。ＨｅＮＢおよび／またはＨｅＮＢのカバレッジエリアは、フェムトセル、ピコセル、ＨｅＮＢセル、フェムトアクセスポイント１０６またはクローズド加入者グループ（ＣＳＧ）セルと呼ばれうる。フェムトアクセスポイント１０６は、ここにおいて使用される。フェムトアクセスポイント１０６は、従来の広域ネットワーク基地局の範囲を拡張する、低電力の基地局である。フェムトアクセスポイント１０６は、セルラ無線通信技法をサポートしている無線通信デバイス１０４に対して、家庭環境およびオフィス内の音声および高速データサービスを提供する。
【００２６】
フェムトアクセスポイント１０６へのアクセスは、フェムトアクセスポイント１０６が使用するアクセス制御の種類によって決まる。オープンアクセスでは、いずれの無線通信デバイス１０４も、アクセス、およびフェムトアクセスポイント１０６からのサービスを受信できる。クローズド加入者グループ（ＣＳＧ）または制限されたアクセスでは、ＣＳＧのメンバーのみが、アクセス、およびフェムトアクセスポイント１０６からのサービスを受信することが許容される。したがって、クローズド加入者グループ（ＣＳＧ）の一部分でない無線通信デバイス１０４は、フェムトアクセスポイント１０６と関連づけることができない。
【００２７】
（例えば、多元接続システムのような）無線通信システム１００における通信は、無線リンク上の送信を通じて達成されうる。このような通信リンクは、単入力単出力（ＳＩＳＯ）、多入力単出力（ＭＩＳＯ）、あるいは、多入力多出力（ＭＩＭＯ）システムを介して確立されうる。ＭＩＭＯシステムは、送信機（単数または複数）と受信機（単数または複数）を含むことができ、それぞれ、データ送信のための複数の（ＮＴ）送信アンテナと複数の（ＮＲ）受信アンテナを備える。ＳＩＳＯおよびＩＳＯシステムは、ＭＩＭＯシステムの具体的な事例である。ＭＩＭＯシステムは、複数の送信および受信アンテナによって生成されたさらなる次元（dimensionalities）が利用される場合には、改良された性能（例、より高いスループット、より大きいキャパシティ、または改善された信頼性）を提供することができる。
【００２８】
ここにおける教示は、さまざまなタイプの通信システムおよび／またはシステムコンポーネントに組み込まれることができる。いくつかの態様では、ここにおける教示は、利用可能なシステムリソースを共有することによって（例えば、帯域幅、送信電力、符号化、インターリービングなどのうちの１つまたは複数を指定することによって）、複数のユーザとの通信をサポートすることができる多元接続システムにおいて利用されうる。例えば、ここにおける教示は、下記の技術の、符号分割多元接続（ＣＤＭＡ）システム、マルチプルキャリアＣＤＭＡ（ＭＣＣＤＭＡ）、広帯域ＣＤＭＡ（Ｗ−ＣＤＭＡ）、高速パケットアクセス（ＨＳＰＡ、ＨＳＰＡ＋）システム、時分割多元接続（ＴＤＭＡ）システム、周波数分割多元接続（ＦＤＭＡ）システム、シングルキャリアＦＤＭＡ（ＳＣ−ＦＤＭＡ）システム、直交周波数分割多元接続（ＯＦＤＭＡ）システム、あるいは他の多元接続技法、のうちのいずれか１つまたは組み合わせに対して適用されうる。
【００２９】
ここにおける教示を利用する無線通信システムは、ＩＳ−９５、ｃｄｍａ２０００、ＩＳ−８５６、Ｗ−ＣＤＭＡ、時分割シンクロナス符号分割多元接続（ＴＤ−ＳＣＤＭＡ）および他の標準規格のような１つまたは複数の標準規格を実装するように設計されうる。ＣＤＭＡネットワークは、ユニバーサル地上無線アクセス（ＵＴＲＡ）、ｃｄｍａ２０００、あるいは他の何らかの技術のような無線技術を実装することができる。ＵＴＲＡは、Ｗ−ＣＤＭＡおよび低チップレート（ＬＣＲ）を含む。ｃｄｍａ２０００技術はＩＳ−２０００、ＩＳ−９５およびＩＳ−８５６標準規格をカバーする。ＴＤＭＡネットワークは、モバイル通信のためのグローバルシステム（ＧＳＭ（登録商標））のような無線技術を実装することができる。ＯＦＤＭＡネットワークは、発展型ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭなどのような無線技術を実装することができる。ＵＴＲＡ、Ｅ−ＵＴＲＡおよびＧＳＭは、ユニバーサルモバイルテレコミュニケーションシステム（ＵＭＴＳ）の一部である。ここにおける教示は、第３世代パートナーシッププロジェクト（３ＧＰＰ）ロングタームエボリューション（ＬＴＥ）システム、ウルトラモバイルブロードバンド（ＵＭＢ）システム、および他のタイプのシステムにおいて実装されうる。ＬＴＥはＥ−ＵＴＲＡを使用するＵＭＴＳのリリースである。本開示のある態様は、３ＧＰＰ用語を使用して説明されうるが、ここにおける教示は、３ＧＰＰ（Ｒｅ１９９，Ｒｅ１５，Ｒｅ１６，Ｒｅ１７）用語と、３ＧＰＰ２（ＩｘＲＴＴ，１ｘＥＶ−ＤＯ  ＲｅｌＯ，ＲｅｖＡ，ＲｅｖＢ）技術および他の技術に対して適用されうるということは理解されるべきである。明瞭にするために、本技法のある態様は、下記でｃｄｍａ２０００について説明されており、ｃｄｍａ２０００用語は、下記の説明の多くに使用されている。
【００３０】
ホーム発展型ＮｏｄｅＢ（ＨｅＮＢ）、ピコセルおよびフェムトセルのような低電力の基地局が、通常の基地局に加えて使用される（通常の基地局は、ここでは、マクロ基地局１０２と呼ばれる）。ピコセルは、マクロ基地局１０２よりもずっと小さいスケールで動作するネットワークオペレータによって制御される基地局を指すことがある。フェムトセルは、マクロ基地局１０２よりもずっと小さいスケールで動作する消費者によって制御された基地局を指すことがある。フェムトセルは、クローズド加入者グループ（ＣＳＧ）に対してサービスを提供することができる。これらの低電力の基地局は、ここでは、フェムトアクセスポイント１０６と呼ばれる。フェムトアクセスポイント１０６は、ＤＳＬルータ（図示されず）またはケーブルモデム（図示されず）を介してコアネットワーク１１４と通信しうる。
【００３１】
マクロ基地局１０２は、１つまたは複数の無線通信デバイス１０４と通信しうる。無線通信デバイス１０４はまた、端末、アクセス端末、ユーザ機器（ＵＥ）、加入者ユニット、局などとも呼ばれ、それらの機能のいくつかまたはすべてを含みうる。無線通信デバイス１０４は、セルラ電話、携帯情報端末（ＰＤＡ）、無線デバイス、無線モデム、ハンドヘルドデバイス、ラップトップコンピュータなどであってもよい。無線通信デバイス１０４は、任意の所与の時間に、ダウンリンク１１０および／またはアップリンク１０８上で０、１、または複数の基地局１０２と通信しうる。ダウンリンク１１０（または順方向リンク）は、（マクロ基地局１０２またはフェムトアクセスポイント１０６のような）基地局から無線通信デバイス１０４までの通信リンクを指し、アップリンク１０８（または逆方向リンク）は、無線通信デバイス１０４から基地局までの通信リンクを指す。
【００３２】
無線通信デバイス１０４は、クローズド加入者グループ（ＣＳＧ）の一部分であることができる。フェムトアクセスポイント１０６は、クローズド加入者グループ（ＣＳＧ）の一部分である無線通信デバイス１０４に対して、フェムトアクセスポイント１０６へのアクセスを制限することができる。図１の無線通信デバイス１０４は、フェムトアクセスポイント１０６に対応するクローズド加入者グループ（ＣＳＧ）の一部分でない場合がある。無線通信デバイス１０４は、代わりに、アップリンク１０８とダウンリンク１１０を介して、マクロ基地局１０２と通信しうる。しかしながら、無線通信デバイス１０４は、フェムトアクセスポイント１０６のカバレッジ領域内に位置しうる。したがって、フェムトアクセスポイント１０６は、無線通信デバイス１０４から、アップリンクパイロット信号１１２を受信しうる。
【００３３】
フェムトアクセスポイント１０６の計画されていない配置に起因して、フェムトアクセスポイント１０６は、フェムトアクセスポイント１０６のカバレッジエリアがマクロ基地局１０２または他のフェムトアクセスポイントのカバレッジエリアとオーバラップするとき、マクロ基地局１０２または他のフェムトアクセスポイントと通信している無線通信デバイス１０４に対してダウンリンク干渉１２０を引き起こす可能性がある。例えば、住居の窓の近くでインストールされたフェムトアクセスポイント１０６は、マクロ基地局１０２によってサービスされる無線通信デバイス１０４に対して著しいダウンリンク干渉１２０を引き起こす可能性がある。同様に、複数の居住アパートメントでは、２つの住居を分離している壁の近くでインストールされたフェムトアクセスポイント１０６が隣人によって操作された無線通信デバイス１０４に対して著しい干渉を引き起こす場合がある。
【００３４】
この問題は、共通チャネル（すなわちシングルキャリア）のフェムトアクセスポイント１０６およびマクロ基地局１０２の配置において最も深刻であるが、フェムトアクセスポイント１０６と近隣無線通信デバイス１０４とが異なるキャリア上にある（隣接する、または、さらに分離される）とき、フェムトアクセスポイント１０６からの無線周波数（ＲＦ）リーケッジのために、問題を引き起こす可能性がある。一構成では、フェムトアクセスポイント１０６および近隣無線通信デバイス１０４は、同じキャリアを使用することができる。ダウンリンク干渉１２０を低減する／最小化するために、フェムトアクセスポイント１０６は、ダウンリンク送信電力を低減する、または、異なるキャリアへ切り替えることができる。
【００３５】
フェムトアクセスポイント１０６は周辺配置モジュール１１８ａを含みうる。周辺配置モジュール１１８ａは、フェムトアクセスポイント１０６が近隣無線通信デバイス１０４のために生成するＲＦリーケッジ量（すなわち、ダウンリンク干渉１２０）を推定することができる。周辺配置モジュール１１８ａは、その後で、フェムトアクセスポイント１０６の送信電力を調整することができる。あるいは、周辺配置モジュール１１８ａは、異なるキャリアへと、フェムトアクセスポイント１０６を切り替えることができる。近隣無線通信デバイス１０４がない場合、フェムトアクセスポイント１０６は、送信電力を増大しうる。
【００３６】
一構成では、コアネットワーク１１４は、周辺配置モジュール１１８ｂを含みうる。コアネットワーク１１４上の周辺配置モジュール１１８ｂは、コアネットワーク１１４上の周辺配置モジュール１１８ｂがフェムトアクセスポイント１０６からネットワーク情報を受信し、フェムトアクセスポイント１０６に関して決定を行い、そして、フェムトアクセスポイント１０６に対して指示を送信することを除いて、フェムトアクセスポイント１０６上の周辺配置モジュール１１８ａと同様な機能を実行することができる。周辺配置モジュール１１８は、図２に関連して下記でさらに詳細に説明される。
【００３７】
コアネットワーク１１４はまた、モバイル探知モジュール１２２を含みうる。モバイル探知モジュール１２２は、無線通信デバイス１０４によるアクティブユーザハンドインサポートのためのリクエストを探知することができる。言い換えれば、モバイル探知モジュール１２２は、マクロ基地局１０２からフェムトアクセスポイント１０６へのハンドオフを試みるための、無線通信デバイス１０４によるリクエストを検出する。モバイル探知モジュール１２２は、その後で、無線通信デバイス１０４によって経験される干渉を低減するために、フェムトアクセスポイント１０６に、送信電力を調整するように、および／または、異なるキャリアに切り替えるように指示する。
【００３８】
フェムトアクセスポイント１０６は、アップリンク測定モジュール１２４を含みうる。アップリンク測定モジュール１２４は、フェムトアクセスポイント１０６のようなハンドインターゲットへのハンドオフをリクエストした無線通信デバイス１０４から受信されたアップリンクパイロット信号１１２の信号強度を測定することができる。ハンドインターゲットは、図５に関連して、下記でさらに詳細に説明される。
【００３９】
フェムトアクセスポイント１０６はまた、干渉管理モジュール１２５を含みうる。干渉管理モジュール１２５は、コアネットワーク１１４からの指示がそのように示すとき、または、フェムトアクセスポイント１０６がそのことを行なうことを自動的に決定したとき、フェムトアクセスポイント１０６の送信電力を調整することができる、および／または、異なるキャリアへとフェムトアクセスポイント１０６を切り替えることができる。干渉管理モジュール１２５は、フェムトアクセスポイント１０６と関連づけられたクローズド加入者グループ（ＣＳＧ）の一部分でない無線通信デバイス１０４のためにフェムトアクセスポイント１０６によって生成されたカバレッジホールを限定することができる。
【００４０】
一構成では、干渉管理モジュール１２５は、送信電力を調整する時に関して、コアネットワーク１１４から指示を受信することができる。干渉管理モジュール１２５は、その後で、なすべき送信電力の調整を決定することができる。別の構成では、干渉管理モジュール１２５は、どのような送信電力調整がなされるべきかを示すコアネットワーク１１４からの指示を受信することができる。干渉管理モジュール１２５はまた、別のキャリアへと切り替わる時についてコアネットワーク１１４からの指示を受信することができる。干渉管理モジュール１２５は、その後で、どのキャリアへと切り替わるかを決定することができる。一構成では、コアネットワーク１１４からの指示は、フェムトアクセスポイント１０６がどのキャリアへと切り替わるかを示すことができる。
【００４１】
一構成では、コアネットワーク１１４は、上位管理サーバ１１６を含みうる。上位管理サーバ１１６は、コアネットワーク１１４が１つまたは複数のフェムトアクセスポイント１０６を管理することを許容しうる。例えば、上位管理サーバ１１６は、コアネットワーク１１４上の周辺配置モジュール１１８ｂが、フェムトアクセスポイント１０６のキャリア選択および／または送信電力を制御することを許容しうる。上位管理サーバ１１６は、フェムト・コンバージェンス・サーバ（femto convergence server）（ＦＣＳ）であってもよい。
【００４２】
図２は、周辺配置モジュール２１８のブロック図である。図２の周辺配置モジュール２１８は、フェムトアクセスポイント１０６上の周辺配置モジュール１１８ａまたはコアネットワーク１１４上の周辺配置モジュール１１８ｂのいずれかの一構成であることができる。周辺配置モジュール２１８は、近隣配置情報２２６を受信することができる。受信された近隣配置情報２２６は、マクロ基地局１０２（または他のフェムトアクセスポイント）がフェムトアクセスポイント１０６のカバレッジエリアとオーバラップするカバレッジエリアで配置されていることを示すことができる。受信された近隣配置情報２２６は、（周辺配置モジュール２１８がコアネットワーク１１４上にある場合には）フェムトアクセスポイント１０６から受信され、（周辺配置モジュール２１８がフェムトアクセスポイント１０６上にある場合にはコアネットワーク１１４を介して）コアネットワーク１１４から受信されるか、または、マクロ基地局１０２から受信されうる。
【００４３】
受信された近隣配置情報２２６は、フェムトアクセスポイント１０６と関連づけられたクローズド加入者グループ（ＣＳＧ）の一部分ではない無線通信デバイス１０４がフェムトアクセスポイント１０６の近くにあり、フェムトアクセスポイント１０６へとハンドオフしようとしている、ということを示すことができる。一構成では、受信された近隣配置情報２２６は、無線通信デバイス１０４は干渉管理が必要であるほどフェムトアクセスポイント１０６に十分に近いということを示すことができる。
【００４４】
周辺配置モジュール２１８は、検出されたバックグラウンド信号の測定された信号強度２２８を受信することができる。例えば、周辺配置モジュール２１８がフェムトアクセスポイント１０６上にある場合には、フェムトアクセスポイント１０６は、マクロ基地局１０２によって送信された（隣接するまたはフェムトアクセスポイント１０６によって使用されたダウンリンク信号からさらに分離される周波数上のバックグラウンド信号のような）ダウンリンク信号１１０の信号強度を測定することができる。フェムトアクセスポイント１０６は、そのあとで、周辺配置モジュール２１８に対して、測定された信号強度２２８を提供することができる。別の例として、周辺配置モジュール２１８がコアネットワーク１１４上にある場合には、マクロ基地局１０２からフェムトアクセスポイント１０６によって受信されたダウンリンク信号１１０の測定された信号強度２２８は、コアネットワーク１１４に対して転送され、そして、コアネットワーク１１４上で周辺配置モジュール２１８に対して提供されうる。
【００４５】
周辺配置モジュール２１８は、配置情報モジュール２３０を含みうる。配置情報モジュール２３０は、検出されたバックグラウンド信号の測定された信号強度２２８から、近隣配置情報２３２を得ることができる。受信された近隣配置情報２２６と同様に、その得られた近隣配置情報２３２は、マクロ基地局１０２（または他のフェムトアクセスポイント）がフェムトアクセスポイント１０６のカバレッジエリアとオーバラップするカバレッジエリアで配置されるということを示すことができる。受信された近隣配置情報２２６と導き出された近隣配置情報２３２は、マクロ基地局１０２（または他のフェムトアクセスポイント）の現在のキャリアについての情報を含みうる。
【００４６】
周辺配置モジュール２１８はまた、キャリア情報２３４を含みうる。キャリア情報２３４は、フェムトアクセスポイント１０６の現在のキャリアを含みうる。キャリア情報２３４はまた、必要であれば、フェムトアクセスポイント１０６が切り替わることができる可能性のあるキャリアを含みうる。一構成では、キャリア情報２３４は、隣接する（またはさらに分離される）キャリアのチャネル配置を含みうる。例えば、キャリア情報２３４は、現在のキャリアの近くのどのキャリアが干渉の可能性のある近隣無線通信デバイス１０４によって使用されるかを示すことができる。
【００４７】
周辺配置モジュール２１８は、フェムトアクセスポイント１０６の現在の送信電力２３６を含みうる。周辺配置モジュール２１８はまた、隣接チャネル干渉比（ＡＣＩＲ）２３８を含みうる。隣接チャネル干渉比（ＡＣＩＲ）２３８は、所望チャネル上の電力と、隣接するチャネルのために生成された干渉電力と、の比である。したがって、隣接チャネル干渉比（ＡＣＩＲ）２３８は、フェムトアクセスポイント１０６の現在の送信電力２３６によって隣接チャネルに対して引き起こされるであろう干渉量を表すことができる。隣接チャネル干渉比（ＡＣＩＲ）２３８は、無線通信デバイス１０４とフェムトアクセスポイント１０６の送信機および受信機の設計の関数である。隣接チャネル干渉比（ＡＣＩＲ）２３８は、周辺配置モジュール２１８に対して知られうる、または、周辺配置モジュール２１８によって推定されうる。
【００４８】
一構成では、周辺配置モジュール２１８は、フェムトアクセスポイント１０６が異なるキャリアへ切り替わるべきであることを決定する。周辺配置モジュール２１８は、その後で、その決定された異なるキャリア２４２を出力する（すなわち、どのキャリアに切り替えるかを示す）。別の構成では、周辺配置モジュール２１８は、フェムトアクセスポイント１０６が送信電力を調整するべきであることを決定する。周辺配置モジュール２１８は、その後で、フェムトアクセスポイント１０６によって使用されるべき調整された送信電力２４４を出力する。周辺配置モジュール２１８がコアネットワーク１１４上にある場合には、決定された異なるキャリア２４２および／または調整された送信電力２４４が、フェムトアクセスポイント１０６に対して送信される。
【００４９】
図３は、フェムトアクセスポイント１０６の近くの無線通信デバイス１０４に対する干渉を最小化するための方法３００のフロー図である。方法３００は、周辺配置モジュール２１８によって実行されうる。周辺配置モジュール２１８は、フェムトアクセスポイント１０６上に、または、コアネットワーク１１４上に、配置されうる。周辺配置モジュール２１８は、マクロ基地局１０２（または他のフェムトアクセスポイント）が、フェムトアクセスポイント１０６のカバレッジエリアとオーバラップするカバレッジエリアをもち、隣接する（またはさらに分離される）周波数上に配置されていると決定することができる（３０２）。言い換えれば、周辺配置モジュール２１８は、フェムトアクセスポイント１０６のカバレッジエリアとオーバラップするカバレッジエリアを伴うマクロ基地局１０２（または他のフェムトアクセスポイント）がフェムトアクセスポイント１０６によって使用されるキャリアに近いキャリアを使用すると決定することができる。別のキャリアに、近い／隣接するキャリアは、他のキャリアのすぐ隣である必要はない。代わりに、別のキャリアに近い／隣接するキャリアは、いずれの方向においても（すなわち、キャリアの周波数より上または下に）複数キャリア離れている場合がある。
【００５０】
周辺配置モジュール２１８は、隣接する（またはさらに分離される）周波数上でマクロ基地局１０２（または他のフェムトアクセスポイント）と通信している無線通信デバイス１０４に関する無線周波数（ＲＦ）リーケッジの量を推定することができる（３０４）。無線周波数（ＲＦ）リーケッジの量は、フェムトアクセスポイント１０６の現在の送信電力２３６、フェムトアクセスポイント１０６の現在のキャリア、マクロ基地局１０２（またはフェムトアクセスポイント）によって使用されるキャリア、および隣接チャネル干渉比（ＡＣＩＲ）２３８に依存しうる。例えば、フェムトアクセスポイント１０６に起因して近隣無線通信デバイス１０４上で生じる干渉量を制限する干渉しきい値が課される。フェムトアクセスポイント１０６が送信電力を減らし、一定のカバレッジエリア（すなわち、カバレッジしきい値と同じエリアをカバーする）を維持することができる場合には、電力低減は達成できる。そうでない場合には、フェムトアクセスポイント１０６は、異なるキャリア２４２に切り替わる。
【００５１】
電力低減が達成できる場合には、周辺配置モジュール２１８は、フェムトアクセスポイント１０６の送信電力を調整して、マクロ基地局１０２（または他のフェムトアクセスポイント）と通信している無線通信デバイス１０４へのフェムトアクセスポイント１０６の影響を最小化する（３０６）。フェムトアクセスポイント１０６の送信電力を調整すること（３０６）は、周辺配置モジュール２１８がコアネットワーク１１４上に配置される場合には、フェムトアクセスポイント１０６に対して調整された送信電力を送信することを含みうる。調整された送信電力は、マクロ基地局１０２または他のフェムトアクセスポイントに対するフェムトアクセスポイント１０６の近接性を考慮に入れることができる。
【００５２】
上で説明される図３の方法３００は、図３Ａで図示されるミーンズプラスファンクションブロック３００Ａに対応する様々なハードウェアおよび／またはソフトウェアのコンポーネント（単数または複数）および／モジュール（単数または複数）によって実行されうる。言いかえれば、図３で図示されるブロック３０２〜３０６は、図３Ａで図示されるミーンズプラスファンクションブロック３０２Ａ〜３０６Ａに対応する。
【００５３】
図４は、フェムトアクセスポイントの近くの無線通信デバイスに対する干渉を最小化するための別の方法４００のフロー図である。方法４００は、周辺配置モジュール２１８によって実行されうる。周辺配置モジュール２１８は、フェムトアクセスポイント１０６上に、または、コアネットワーク１１４上に、配置されうる。周辺配置モジュール２１８は、フェムトアクセスポイント１０６のカバレッジエリアとオーバラップしているカバレッジエリアをもつマクロ基地局１０２（または他のフェムトアクセスポイント）が、隣接する（またはさらに分離された）周波数上に配置されていることを決定する（４０２）。
【００５４】
周辺配置モジュール２１８は、隣接する（またはさらに分離される）周波数上でマクロ基地局１０２（または他のフェムトアクセスポイント）と通信している無線通信デバイス１０４について無線周波数（ＲＦ）リーケッジの量を推定する（４０４）。無線周波数（ＲＦ）リーケッジの量は、フェムトアクセスポイント１０６の現在の送信電力２３６、フェムトアクセスポイント１０６の現在のキャリア、マクロ基地局１０２（または他のフェムトアクセスポイント）によって使用されるキャリア、および隣接チャネル干渉比（ＡＣＩＲ）２３８に依存しうる。フェムトアクセスポイント１０６は、広域のキャリアにおける放射を知るべきである。したがって、無線周波数（ＲＦ）リーケッジ（すなわち、ダウンリンク干渉１２０）によって影響されるリスクがある配置を伴うキャリアがある場合には、予防策をとることができる。
【００５５】
周辺配置モジュール２１８は、あまり隣接していない／隣接していない（またはさらに分離される）チャネル配置を有するフェムトアクセスポイント１０６によって現在使用されるものとは異なるキャリア２４２を決定することができる（４０６）。周辺配置モジュール２１８は、あまり隣接していない／隣接していない（またはさらに分離される）チャネル配置で、決定された異なるキャリア２４２を使用して通信するように、フェムトアクセスポイント１０６を切り替えることができる（４０８）。フェムトアクセスポイント１０６を決定された異なるキャリア２４２へと切り替えること（４０８）は、周辺配置モジュール２１８がコアネットワーク１１４上に配置される場合にはフェムトアクセスポイント１０６に対してその決定された異なるキャリア２４２を送信することを含みうる。
【００５６】
上で説明される図４の方法４００は、図４Ａで図示されるミーンズプラスファンクションブロック４００Ａに対応する様々なハードウェアおよび／またはソフトウェアのコンポーネント（単数または複数）および／モジュール（単数または複数）によって実行されうる。言いかえれば、図４で図示されるブロック４０２〜４０８は、図４Ａで図示されるミーンズプラスファンクションブロック４０２Ａ〜４０８Ａに対応する。
【００５７】
図５は、フェムトアクセスポイント５０６の近くの無線通信デバイス５０４に対する干渉を最小化するモバイル探知手法を図示するタイミング図である。フェムトアクセスポイント５０６は、ダウンリンクパイロット信号５４６をブロードキャストすることができる。ダウンリンクパイロット信号５４６は、フェムトアクセスポイント５０６の近くにあるがフェムトアクセスポイント５０６と関連づけられたクローズド加入者グループ（ＣＳＧ）の一部分ではない無線通信デバイス５０４によって受信されうる。無線通信デバイス５０４は、アクティブな音声呼があってもよい。無線通信デバイス５０４は、マクロ基地局５０２と通信しうる。ダウンリンクパイロット信号５４６を受信すると、無線通信デバイス５０４は、フェムトアクセスポイント５０６を検出することができる（５４８）。
【００５８】
フェムトアクセスポイント５０６を検出すると（５４８）、無線通信デバイス５０４は、アクティブな呼がある間にマクロ基地局５０２からフェムトアクセスポイント５０６へとハンドオフすることを決定することができる。アクティブな呼を維持するために、無線通信デバイス５０４は、フェムトアクセスポイント５０６へのアクティブハンドインを実行する必要がある。一構成では、マクロ基地局５０２は、代わりに、別のフェムトアクセスポイントである。無線通信デバイス５０４は、マクロ基地局５０２に対して、ハンドオフリクエスト５５０を送信する。マクロ基地局５０２は、コアネットワーク５１４に対してハンドオフリクエスト５５２を転送する。コアネットワーク５１４は、フェムトアクセスポイント５０６のいくつかの機能を制御することできる。
【００５９】
ハンドオフリクエスト５５２に含まれる情報は、ハンドインターゲットをユニークに識別するのに十分でない場合がある。ハンドインターゲットは、ハンドオフリクエスト５５２におけるリクエストされたターゲットを指す（すなわち、フェムトアクセスポイント５０６）。ハンドオフリクエスト５５２を受信すると、コアネットワーク５１４は、可能性のあるハンドインターゲットのリストを決定する（５５４）。ハンドインターゲットのリスト上にあるハンドインターゲットは、無線通信デバイス５０４の周辺に関する他の補足情報とともにハンドオフリクエスト５５２のパイロット強度測定メッセージ（ＰＳＭＭ）において無線通信デバイス５０４によって報告された同じ擬似雑音（ＰＮ）コードを共有するフェムトアクセスポイントであってもよい。
【００６０】
ユニークなハンドインターゲットを決定するために、モバイル探知と呼ばれる技法が使用されうる。モバイル探知では、コアネットワーク５１４は、可能性のあるハンドインターゲットの各々に対して、無線通信デバイス５０４のアップリンク測定のためのリクエスト５５６を送信することができる（無線通信デバイス５０４のアップリンク動作周波数を含む）。フェムトアクセスポイント５０６は、リクエスト５５６を受信し、無線通信デバイス５０４のアップリンク動作周波数にチューニングする（合わせる）（５５８）。フェムトアクセスポイント５０６は、その後で、無線通信デバイス５０４から、アップリンクパイロット信号５６０を受信することができる。フェムトアクセスポイント５０６は、一定の時間にわたって、アップリンクパイロット信号測定値（すなわち、チップあたりのエネルギー（Ｅｃｐ））を集めることができる（５６１）。
【００６１】
フェムトアクセスポイント５０６は、コアネットワーク５１４に対してアップリンクパイロット信号強度測定値５６２を送信することができる。コアネットワーク５１４は、可能性のあるハンドインターゲットのリスト上にあった複数のフェムトアクセスポイントからアップリンクパイロット信号強度測定値５６２を受信することができる。コアネットワーク５１４は、そのあとで、可能性のあるハンドインターゲットのうちのどれがユニークなハンドインターゲットであるかを推定することができる５６４（この場合はフェムトアクセスポイント５０６）。フェムトアクセスポイント１０６によって送信されたさらなるオーバーヘッドメッセージのようなハンドインターゲットを決定するための他の技法もまた使用されうる。
【００６２】
コアネットワーク５１４は、フェムトアクセスポイント５０６に対して、ハンドオフ情報メッセージ５６６を送信する。ハンドオフ情報メッセージ５６６を受信すると、フェムトアクセスポイント５０６は、無線通信デバイス５０４が近くにあるということ（また、無線通信デバイス５０４はフェムトアクセスポイント５０６に対応するクローズド加入者グループ（ＣＳＧ）の一部分でないということ）を知る。一構成では、フェムトアクセスポイント５０６は、モバイル探知の結果に基づいて干渉管理が必要であることを決定できる。例えば、モバイル探知がフェムトアクセスポイント５０６は起こりうるハンドインターゲット（likely hand-in target）であるということを示すので、フェムトアクセスポイント５０６は、干渉管理が必要であると決定できる。
【００６３】
フェムトアクセスポイント５０６は、生成された無線周波数（ＲＦ）の放射量を知っているので、フェムトアクセスポイント５０６は、無線通信デバイス５０４のためのカバレッジホールを生成するために予防策をとることができる。例えば、フェムトアクセスポイント５０６は、干渉を制限するために、送信電力を調整することができる（５６８）。別の例として、フェムトアクセスポイント５０６は、干渉を制限するために、キャリアを切り替えることができる（５７０）。
【００６４】
図６は、無線通信デバイス６０４からコアネットワーク６１４へのハンドオフリクエスト６７２の送信を図示する。図６の無線通信デバイス６０４は、図１の無線通信デバイス１０４の一構成であることができる。図６のコアネットワーク６１４は、図１のコアネットワーク１１４の一構成であることができる。無線通信デバイス６０４は、コアネットワーク６１４に対して、ハンドオフリクエスト６７２を送信することができる。無線通信デバイス６０４がコアネットワーク６１４と直接通信することができないため、無線通信デバイス６０４は、（フェムトアクセスポイントまたはマクロ基地局１０２のような）基地局を介してコアネットワーク６１４に対してハンドオフリクエスト６７２を送信することができる。
【００６５】
ハンドオフリクエスト６７２は、ハンドインターゲットから無線通信デバイス６０４によって受信された信号のダウンリンクパイロット信号対雑音比（ＳＮＲ）６７４を含みうる。ハンドオフリクエスト６７２はまた、検出されたハンドインターゲットの擬似雑音（ＰＮ）コード６７６を含みうる。異なるフェムトアクセスポイントの中で擬似雑音（ＰＮ）コード６７６をよく再使用することによって、ハンドオフリクエスト６７２における情報は、コアネットワーク６１４がハンドインターゲットをユニークに識別するのに十分でないことがある。代わりに、コアネットワーク６１４は、ハンドインターゲットをユニークに識別するためにモバイル探知を使用することができる。モバイル探知は、上記で図５に関連して説明され、また、下記で詳細に図８に関連して説明される。
【００６６】
図７は、干渉管理のための方法７８０のフロー図である。方法７８０は、コアネットワーク１１４によって実行されうる。一構成では、方法７８０は、コアネットワーク１１４の一部として装置によって実行されうる。コアネットワーク１１４は、無線通信デバイス１０４からハンドオフリクエスト６７２を受信する（７８２）。無線通信デバイス１０４はコアネットワーク１１４と直接通信することができないので、ハンドオフリクエスト６７２は、基地局（例えば、マクロ基地局１０２またはフェムトアクセスポイント）を介して受信されうる。
【００６７】
コアネットワーク１１４は、その後で、ハンドオフリクエスト６７２のハンドインターゲットであるフェムトアクセスポイント１０６を決定する（７８４）。特定のフェムトアクセスポイント１０６がハンドインターゲットであるとを決定することは、多くの方法で行える。例えば、モバイル探知手法は、特定のフェムトアクセスポイント１０６がハンドインターゲットであるということを決定するために使用されうる。モバイル探知は、図８に関連して、下記でさらに詳細に説明される。別の例として、フェムトアクセスポイント１０６によって送信された追加情報は、ハンドインターゲットとしてフェムトアクセスポイント１０６を識別するために使用されうる。フェムトアクセスポイント１０６は、ハンドインターゲットとしてフェムトアクセスポイント１０６をユニークに識別するオーバーヘッドメッセージで、コアネットワーク１１４に対して追加情報を送信できる。この場合、無線通信デバイス１０４がハンドオフをリクエストしたとき、コアネットワーク１１４は、ハンドオフリクエスト６７２がフェムトアクセスポイント１０６に対応するということを知る。
【００６８】
無線通信デバイス１０４は、フェムトアクセスポイント１０６と関連づけられたクローズド加入者グループ（ＣＳＧ）の一部分でない場合がある。無線通信デバイス１０４がフェムトアクセスポイント１０６へとハンドオフすることを試みたために、コアネットワーク１１４は、無線通信デバイス１０４がフェムトアクセスポイント１０６の近くにあるということ、そして、フェムトアクセスポイント１０６が干渉管理をイネーブルすべきであるということを推定する。
【００６９】
コアネットワーク１１４は、フェムトアクセスポイント１０６に対してハンドオフ情報５６６を送信する（７８６）。ハンドオフ情報メッセージ５６６は、フェムトアクセスポイント１０６に、近隣無線通信デバイス１０４がフェムトアクセスポイント１０６へのハンドオフを試みていることを通知できる。一構成では、ハンドオフ情報メッセージ５６６は、フェムトアクセスポイント１０６に、それがハンドインターゲットであることを通知できる。ハンドオフ情報メッセージ５６６はまた、フェムトアクセスポイント１０６のための干渉管理指示を含みうる。例えば、ハンドオフ情報メッセージ５６６は、フェムトアクセスポイント１０６が送信電力を調整するための、または、異なるキャリアに切り替わるための、具体的な指示を含みうる。一構成では、ハンドオフ情報メッセージ５６６は、フェムトアクセスポイント１０６が使用する、指示された送信電力を含みうる。別の構成では、ハンドオフ情報メッセージ５６６は、フェムトアクセスポイント１０６が使用する、ネットワークによって選択されたキャリアを含みうる。
【００７０】
上で説明される図７の方法７８０は、図７Ａで図示されるミーンズプラスファンクションブロック７８０Ａに対応する様々なハードウェアおよび／またはソフトウェアのコンポーネント（単数または複数）および／モジュール（単数または複数）によって実行されうる。言いかえれば、図７で図示されるブロック７８２〜７８６は、図７Ａで図示されるミーンズプラスファンクションブロック７８２Ａ〜７８６Ａに対応する。
【００７１】
図８は、モバイル探知のための方法７００のフロー図である。方法７００は、コアネットワーク１１４によって実行されうる。一構成では、方法７００は、コアネットワーク１１４の一部として装置によって実行されうる。コアネットワーク１１４は、無線通信デバイス１０４からハンドオフリクエスト６７２を受信する（７０２）。無線通信デバイス１０４はコアネットワーク１１４と直接通信することができないので、ハンドオフリクエスト６７２は、基地局（例えば、マクロ基地局１０２またはフェムトアクセスポイント）を介して受信されうる。
【００７２】
コアネットワーク１１４は、その後で、可能性のあるハンドインターゲットのリストを決定する（７０４）。可能性のあるハンドインターゲットのリストは、ハンドオフリクエスト６７２において無線通信デバイス１０４によって報告されたのと同じ擬似雑音（ＰＮ）コード６７６を使用するフェムトアクセスポイントを含みうる。擬似雑音（ＰＮ）コード６７６と無線通信デバイス１０４の周辺に関する補足情報に基づいて、コアネットワーク１１４は、合理的なサイズの可能性のあるハンドインターゲットのリストを決定する（７０４）。
【００７３】
コアネットワーク１１４は、その後で、可能性のあるハンドインターゲットのリスト上のフェムトアクセスポイントの各々から、無線通信デバイス１０４に関するアップリンク測定をリクエストする（７０６）。このリクエストは、無線通信デバイス１０４のアップリンク動作周波数を含みうるので、各フェムトアクセスポイントは、無線通信デバイス１０４のアップリンクパイロット信号を測定することができる。
【００７４】
コアネットワーク１１４は、可能性のあるハンドインターゲットのリスト上のフェムトアクセスポイントの各々から無線通信デバイス１０４に関するアップリンク測定値を受信する（７０８）。無線通信デバイス１０４に関する受信されたアップリンク測定値に基づいて、コアネットワーク１１４は、どのフェムトアクセスポイントがハンドインターゲットかを推定することができる（７１０）（この場合、フェムトアクセスポイント１０６がハンドインターゲットである）。コアネットワーク１１４は、その後、ハンドインターゲットに対してハンドオフ情報メッセージ５６６を送信する（７１２）。ハンドオフ情報メッセージ５６６は、フェムトアクセスポイント１０６に、干渉を制限するために、送信電力を調整すること、および／または、キャリアを切り替えること、を指示する。
【００７５】
上で説明される図８の方法７００は、図８Ａで図示されるミーンズプラスファンクションブロック７００Ａに対応する様々なハードウェアおよび／またはソフトウェアのコンポーネント（単数または複数）および／モジュール（単数または複数）によって実行されうる。言いかえれば、図８で図示されるブロック７０２〜７１２は、図８Ａで図示されるミーンズプラスファンクションブロック７０２Ａ〜７１２Ａに対応する。
【００７６】
図９は、干渉管理の別の方法のフロー図８００である。方法８００は、フェムトアクセスポイント１０６によって実行されうる。フェムトアクセスポイント１０６は、無線通信デバイス１０４のためのハンドインターゲットであってもよい。フェムトアクセスポイント１０６は、コアネットワーク１１４から、無線通信デバイス１０４のアップリンク測定のためのリクエストを受信する（８０２）。上述されるように、無線通信デバイス１０４のアップリンク測定のためのリクエストは、無線通信デバイス１０４によって使用されるアップリンクパイロット周波数を含みうる。フェムトアクセスポイント１０６は、無線通信デバイス１０４のアップリンクパイロット周波数にチューニングする（合わせる）ことができる（８０４）。
【００７７】
フェムトアクセスポイント１０６は、その後、無線通信デバイス１０４からアップリンク信号を受信する（８０６）。例えば、フェムトアクセスポイント１０６は、無線通信デバイス１０４によって送信されたアップリンクパイロット信号を受信することができる。フェムトアクセスポイント１０６は、受信されたアップリンク信号から、アップリンク測定値を生成することができる（８０８）。フェムトアクセスポイント１０６は、その後で、コアネットワーク１１４に対して、アップリンク測定値を送信することができる（８１０）。
【００７８】
いったんコアネットワーク１１４が可能性のあるハンドインターゲットとしてフェムトアクセスポイント１０６を識別すると、フェムトアクセスポイント１０６は、コアネットワーク１１４からハンドオフ情報メッセージ５６６を受信することができる（８１２）。フェムトアクセスポイント１０６がハンドオフ情報メッセージ５６６を受信するとき（そして、ハンドインターゲットとなるように決定されるとき）（８１２）、フェムトアクセスポイント１０６は、マクロ基地局１０２（または他のフェムトアクセスポイント）と通信している近隣無線通信デバイス１０４がフェムトアクセスポイント１０６によって送信されたパイロット信号またはビーコン信号をヒアリングできるということを知る。無線通信デバイス１０４がフェムトアクセスポイント１０６によってサービスされることが許容されない（すなわち、無線通信デバイス１０４は、フェムトアクセスポイント１０６と関連づけられたクローズド加入者グループ（ＣＳＧ）の一部分でない）と仮定すると、フェムトアクセスポイント１０６は、無線通信デバイス１０４のためにカバレッジホールを生成する可能性がある。
【００７９】
ハンドオフ情報メッセージ５６６は、フェムトアクセスポイント１０６への指示を含みうる。例えば、ハンドオフ情報メッセージ５６６は、無線通信デバイス１０４に対する干渉を制限するために、フェムトアクセスポイント１０６に、フェムトアクセスポイント１０６の送信電力を調整する（８１４）ように指示することができる。一構成では、ハンドオフ情報メッセージ５６６は、フェムトアクセスポイント１０６によって使用されるべき調整された送信電力を示すことができる。別の構成では、ハンドオフ情報メッセージ５６６は、送信電力の変更が必要とされるということのみを示し、フェムトアクセスポイント１０６が適切な電力調整を決定することを許容しうる。別の例として、ハンドオフ情報メッセージ５６６は、無線通信デバイス１０４に対する干渉を制限するためにキャリアを切り替える８１６ように、フェムトアクセスポイント１０６に指示することができる。一構成では、ハンドオフ情報メッセージ５６６は、フェムトアクセスポイント１０６が切り替わる異なるキャリア２４２はどれかを示すことができる。別の構成では、ハンドオフ情報メッセージ５６６は、切り替えが必要であるということのみを示し、フェムトアクセスポイントが異なるキャリア２４２を選択することを許容する。
【００８０】
上で説明される図９の方法８００は、図９Ａで図示されるミーンズプラスファンクションブロック８００Ａに対応する様々なハードウェアおよび／またはソフトウェアのコンポーネント（単数または複数）および／モジュール（単数または複数）によって実行されうる。言いかえれば、図９で図示されるブロック８０２〜８１６は、図９Ａで図示されるミーンズプラスファンクションブロック８０２Ａ〜８１６Ａに対応する。
【００８１】
図１０は、フェムトアクセスポイント９０６内に含まれうる、あるコンポーネントを図示する。フェムトアクセスポイント９０６は、アクセスポイント、ブロードキャスト送信機、ホーム発展型ＮｏｄｅＢ（ＨｅＮＢ）、フェムトセル、ピコセルなどとも呼ばれ、また、それらの機能のうちのいくつかまたはすべてを含みうる。フェムトアクセスポイント９０６はプロセッサ９０３を含む。プロセッサ９０３は、汎用のシングルチップまたはマルチチップのマイクロプロセッサ（例、ＡＲＭ）、専用マイクロプロセッサ（例、デジタルシグナルプロセッサ（ＤＳＰ））、マイクロコントローラ、プログラマブルゲートアレイ等であってもよい。プロセッサ９０３は、中央処理装置（ＣＰＵ）と呼ばれうる。図１０のフェムトアクセスポイント９０６において１つのプロセッサ９０３のみが示されているが、代替の構成では、複数プロセッサの組み合わせ（例えば、ＡＲＭおよびＤＳＰ）が使用されることができる。
【００８２】
フェムトアクセスポイント９０６はまた、メモリ９０５を含む。メモリ９０５は、電子情報を格納することができるいずれの電子コンポーネントであってもよい。メモリ９０５は、ランダムアクセスメモリ（ＲＡＭ）、読み出し専用メモリ（ＲＯＭ）、磁気ディスクストレージ媒体、光学ストレージ媒体、ＲＡＭにおけるフラッシュメモリデバイス、プロセッサと含まれるオンボードメモリ、ＥＰＲＯＭメモリ、ＥＥＰＲＯＭメモリ、レジスタ、など、として具現化されうる、そして、それらの組み合わせを含む。
【００８３】
データ９０７および命令９０９は、メモリ９０５において格納されうる。命令９０９は、ここに開示された方法を実装することが、プロセッサ９０３によって実行可能でありうる。命令９０９を実行することは、メモリ９０５に格納されるデータ９０７を使用することを含みうる。プロセッサ９０３が命令９０９を実行するとき、命令９０９ａの様々な部分は、プロセッサ９０３上へとロードされることができ、データ９０７ａの様々な部分は、プロセッサ９０３上へとロードされうる。
【００８４】
フェムトアクセスポイント９０６はまた、送信機９１１と受信機９１３を含み、フェムトアクセスポイント９０６への送信およびフェムトアクセスポイント９０６からの受信を許容しうる。送信機９１１と受信機９１３は、トランシーバ９１５と集約的に呼ばれうる。アンテナ９１７は、トランシーバ９１５に電子的に結合されうる。フェムトアクセスポイント９０６はまた、（図示されないが）複数の送信機、複数の受信機、複数のトランシーバ、および／またはさらなるアンテナを含みうる。
【００８５】
フェムトアクセスポイント９０６の様々なコンポーネントは、１つまたは複数のバスによって一緒に結合されることができ、そしてそれは、パワーバス、制御シグナルバス、ステータスシグナルバス、データバス等を含みうる。明瞭にするために、様々なバスは、バスシステム９１９として図１０で図示される。
【００８６】
図１１は、コアネットワーク装置１０１４内に含まれうる、あるコンポーネントを図示する。コアネットワーク装置１０１４は、無線通信ネットワーク１００に対して通信サービスを提供する機械または複数の機械であることができる。コアネットワーク装置１０１４は、プロセッサ１００３を含む。プロセッサ１００３は、汎用のシングルチップまたはマルチチップのマイクロプロセッサ（例、ＡＲＭ）、専用マイクロプロセッサ（例、デジタルシグナルプロセッサ（ＤＳＰ））、マイクロコントローラ、プログラマブルゲートアレイ等であってもよい。プロセッサ１００３は、中央処理装置（ＣＰＵ）と呼ばれうる。１つのプロセッサ１００３だけが図１１のコアネットワーク装置１０１４で示されているが、複数のプロセッサの組み合わせ（例、ＡＲＭおよびＤＳＰ）も使用されることができる。
【００８７】
コアネットワーク装置１０１４はまた、メモリ１００５を含む。メモリ１００５は、電子情報を格納することができる任意の電子コンポーネントであってもよい。メモリ１００５は、ランダムアクセスメモリ（ＲＡＭ）、読み出し専用メモリ（ＲＯＭ）、磁気ディスクストレージ媒体、光学ストレージ媒体、ＲＡＭにおけるフラッシュメモリデバイス、プロセッサと含まれるオンボードメモリ、ＥＰＲＯＭメモリ、ＥＥＰＲＯＭメモリ、レジスタなど、として具現化されうる、そして、それらの組み合わせを含む。
【００８８】
データ１００７および命令１００９は、メモリ１００５に格納されうる。命令１００９は、ここにおいて開示される方法を実装することが、プロセッサ１００３によって実行可能でありうる。命令１００９を実行することは、メモリ１００５に格納されるデータ１００７を使用することを含みうる。プロセッサ１００３が命令１００９を実行するとき、命令１００９ａの様々な部分は、プロセッサ１００３上へとロードされることができ、データ１００７ａの様々な部分は、プロセッサ１００３上へとロードされうる。
【００８９】
コアネットワーク装置１０１４はまた、送信機１０１１と受信機１０１３を含み、コアネットワーク装置１０１４への送信およびコアネットワーク装置１０１４からの受信を許容しうる。送信機１０１１と受信機１０１３は、トランシーバ１０１５と集約的に呼ばれうる。アンテナ１０１７は、トランシーバ１０１５に電子的に結合されうる。コアネットワーク装置１０１４はまた、複数の送信機、複数の受信機、複数のトランシーバ、および／またはさらなるアンテナを含みうる（図示されず）。
【００９０】
コアネットワーク装置１０１４の様々なコンポーネントは、１つまたは複数のバスによって一緒に結合されることができ、そしてそれは、パワーバス、制御シグナルバス、ステータスシグナルバス、データバス等を含みうる。明瞭にするために、様々なバスはバスシステム１０１９として図１１で図示される。
【００９１】
図１２は、多入力多出力（ＭＩＭＯ）システム１１８０において２つの無線デバイスを図示する。第１の無線デバイス１１６０は、基地局であってもよく、第２の無線デバイスは、無線通信デバイスであってもよい。第１の無線デバイス１１６０において、多数のデータストリームについてのトラヒックデータは、データソース１１６２から送信（ＴＸ）データプロセッサ１１６３へと提供される。各データストリームは、その後で、それぞれの送信アンテナ上で送信されうる。
【００９２】
ＴＸデータプロセッサ１１６３は、符号化されたデータを提供するためにそのデータストリームについて選択された特定の符号化スキームに基づいて、各データストリームについてのトラヒックデータをフォーマットし、符号化し、そしてインタリーブする。各データストリームに関する符号化されたデータは、ＯＦＤＭまたは他の適切な技法を使用して、パイロットデータと共に多重化されうる。パイロットデータは、既知の方法で処理される、一般的には既知データであり、チャネル応答を推定するために受信機システムにおいて使用されうる。各データストリームに関する多重化されたパイロットおよび符号化されたデータは、その後で、そのデータストリームについて選択された特定の変調スキーム（例、ＢＰＳＫ、ＱＰＳＫ、Ｍ−ＰＳＫ、またはＭ−ＱＡＭ）に基づいて変調されて（すなわち、シンボルマッピングされて）、変調シンボルを提供する。各データストリームに関するデータレート、符号化および変調は、プロセッサ１１６４によって実行される命令によって決定されうる。データメモリ１１６５は、プロセッサ１１６４または第１の無線デバイス１１６０の他のコンポーネントによって使用されるプログラムコード、データ、および他の情報を格納することができる。
【００９３】
すべてのデータストリームに関する変調シンボルは、その後で、ＴＸ ＭＩＭＯプロセッサ１１６６に対して提供され、（例、ＯＦＤＭのための）変調シンボルをさらに処理することができる。ＴＸＭＩＭＯプロセッサ１１６６は、その後で、ＮＴ個のトランシーバ１１６７ａ〜１１６７ｔに対して、ＮＴ個の変調シンボルストリームを提供することができる。いくつかの態様では、ＴＸ ＭＩＭＯプロセッサ１１６６は、データストリームのシンボルに対して、そしてシンボルが送信されているアンテナに対して、ビームフォーミング重み付けを適用する。
【００９４】
各トランシーバ１１６７は、それぞれのシンボルストリームを受信し処理して１つまたは複数のアナログ信号を提供し、アナログ信号をさらに調整して（例、増幅し、フィルタにかけ、そしてアップコンバートして）、ＭＩＭＯチャネル上の送信に適した変調信号を提供する。トランシーバ１１６７ａ〜１１６７ｔからのＮＴ個の変調信号は、その後で、それぞれ、ＮＴ個のアンテナ１１６８ａ〜１１６８ｔから送信される。
【００９５】
第２の無線デバイス１１６１において、送信された変調信号は、ＮＲ個のアンテナ１１６９ａ−ｒによって受信され、各アンテナ１１６９からの受信信号は、それぞれのトランシーバ（ＸＣＶＲ）１１７０ａ−ｒに対して提供される。各トランシーバ１１７０は、それぞれの受信信号を調整し（例、フィルタにかけ、増幅し、ダウンコンバートし）、その調整された信号をデジタル化してサンプルを提供し、そのサンプルをさらに処理して対応する「受信」シンボルストリームを提供する。
【００９６】
受信（ＲＸ）データプロセッサ１１７１は、その後で、特定の受信機処理技法に基づいてＮＲ個のトランシーバ１１７０からＮＲ個の受信シンボルストリームを受信し処理して、ＮＴ個の「検出」シンボルストリームを提供する。ＲＸデータプロセッサ１１７１は、その後で、各検出されたシンボルストリームを復調し、デインタリーブし、復号して、データストリームに関するトラヒックデータを回復する。ＲＸデータプロセッサ１１７１による処理は、第１の無線デバイス１１６０におけるＴＸデータプロセッサ１１６３とＴＸ ＭＩＭＯプロセッサ１１６６によって実行されるものと相補的である。
【００９７】
プロセッサ１１７２は、どのプレコーディングマトリクスを使用するかを周期的に決定する（下記で説明する）。プロセッサ１１７２は、マトリックスインデクス部分とランク値部分とを備える逆方向リンクメッセージを定式化する。データメモリ１１７３は、プロセッサ１１７２または第２の無線デバイス１１６１の他のコンポーネントによって使用されるプログラムコード、データ、および他の情報を格納することができる。逆方向リンクメッセージは、通信リンクおよび／または受信データストリームに関する様々なタイプの情報を備えることができる。逆方向リンクメッセージは、その後で、データソース１１７５から多数のデータストリームに関するトラヒックデータも受信するＴＸデータプロセッサ１１７４によって処理され、変調器１１７６によって変調され、トランシーバ１１７０ａ−ｒによって調整され、そして、第１の無線デバイス１１６０に戻って送信される。
【００９８】
第１の無線デバイス１１６０において、第２の無線デバイス１１６１からの変調信号は、アンテナ１１６６によって受信され、トランシーバ１１６７によって調整され、復調器（ＤＥＭＯＤ）１１７７によって復調され、ＲＸデータプロセッサ１１７８によって処理されて、第２の無線デバイス１１６１によって送信された逆方向リンクメッセージを抽出する。プロセッサ１１６４は、ビームフォーミング重み付けを決定するためにどのプレコーディングマトリクスを使用するかを決定し、そのあとで、抽出されたメッセージを処理する。
【００９９】
図１２はまた、通信コンポーネントがビーコン関連のオペレーションを実行する１つまた複数のコンポーネントを含みうるということを図示する。例えば、ビーコン制御コンポーネント１１７９は、プロセッサ１１６４および／または第１の無線ネットワーク１１６０の他のコンポーネントと共同して、ここにおいて教示されるように、別のデバイス（例えば第２の無線デバイス１１６１）に対してビーコン信号を送信し、そして、別のデバイス（例、別の基地局）からビーコン信号を受信することができる。同様に、ビーコン制御コンポーネント１１８１は、プロセッサ１１７２および／または第２の無線デバイス１１６１の他のコンポーネントと共同して、別のデバイス（例えば、第１の無線デバイス１１６０）からビーコン信号を受信することができる。各無線デバイス１１６０および１１６１については、説明されたコンポーネントのうち２以上の機能が単一のコンポーネントによって提供されうるということはいうまでもない。例えば、単一の処理コンポーネントは、ビーコン制御コンポーネント１１７９とプロセッサ１１６４の機能を提供することができ、単一の処理コンポーネントは、ビーコン制御コンポーネント１１８１とプロセッサ１１７２の機能を提供することができる。
【０１００】
いくつかの態様では、ここにおける教示は、マクロスケールカバレッジ（一般的にマクロセルネットワークと呼ばれる３Ｇネットワークのような大きいエリアのセルラネットワーク）と、小さいスケールのカバレッジ（例、住居ベースまたはビルベースのネットワーク環境）とを含むネットワークで利用されうる。アクセス端末（「ＡＴ」）はそのようなネットワークを通じて移動するので、アクセス端末は、マクロカバレッジを提供するアクセスノード（「ＡＮ」）によってあるロケーションにおいてサービスされるが、アクセス端末は、より小さいスケールのカバレッジを提供するアクセスノードによって他のロケーションでサービスされうる。いくつかの態様では、より小さいカバレッジのノードは、キャパシティの増大（incremental capacity growth）、ビルディング内のカバレッジ、そして（例えば、よりロバストなユーザ経験のために）異なるサービスを提供するために使用されうる。ここにおける説明では、相対的に大きいエリアにわたってカバレッジを提供するノードは、マクロノードと呼ばれうる。相対的に小さいエリア（例えば、住居）にわたってカバレッジを提供するノードは、フェムトノードと呼ばれうる。マクロエリアよりも小さくフェムトエリアよりも大きいエリアにわたってカバレッジを提供するノードは、ピコノードと呼ばれうる（例えば、商業ビル内でカバレッジを提供する）。
【０１０１】
マクロノード、フェムトノード、またはピコノードと関連づけられたセルは、それぞれ、マクロセル、フェムトセル、またはピコセルと呼ばれる。いくつかの実装では、各セルは、１つまたは複数のセクタとさらに関連づけられることができる（例えば、１つまたは複数のセクタに分割される）。
【０１０２】
様々な出願において、マクロノード、フェムトノード、または、ピコノードを参照するために他の用語が使用されうる。例えば、マクロノードは、アクセスノード、基地局、アクセスポイント、ｅＮｏｄｅＢ、マクロセルなどで構成される、または、呼ばれうる。また、フェムトノードは、ホームＮｏｄｅＢ、ホームｅＮｏｄｅＢ、アクセスポイント基地局、フェムトセル、フェムトアクセスポイントなど、で構成される、または、呼ばれうる。
【０１０３】
図１３は、ここにおける教示が実装されうる、多数のユーザをサポートするように構成された無線通信システム１３００を図示する。システム１３００は、例えばマクロセル１３０２Ａ−１３０２Ｇのような複数のセル１３０２のための通信を提供しており、各セルは、対応するアクセスポイント１３０４（例、アクセスポイント１３０４Ａ−１３０４Ｇ）によってサービスされている。図１３で示されているように、アクセス端末１３０６（例、アクセス端末１３０６Ａ−１３０６Ｌ）は、時間にわたって、システム全体にわたる様々な場所に分散していてもよい。各アクセス端末１３０６は、所与の時間において順方向リンク（ＦＬ）および／または逆方向リンク（ＲＬ）上で１つまたは複数のアクセスノード１３０４と通信することができ、例えば、アクセス端末１３０６がアクティブであるかどうか、そして、それがソフトハンドオフの状態であるかどうかによって決まる。無線通信システム１３００は、大きな地理的領域にわたってサービスを提供することができる。例えば、マクロセル１３０２Ａ−１３０２Ｇは、近隣の数ブロックをカバーすることができる。
【０１０４】
図１４は、１つまたは複数のフェムトノードがネットワーク環境内で配置される例示的な通信システム１４００を図示する。具体的には、システム１４００は、相対的に小さいスケールのネットワーク環境において（例えば、１以上のユーザ住居１４３０において）インストールされる複数のフェムトノード１４１０（例、フェムトアクセスポイント１４１０Ａおよび１４１０Ｂ）を含む。各フェムトノード１４１０は、ＤＳＬルータ、ケーブルモデム、無線リンク、または他の接続手段（図示されず）を介して、広域ネットワーク１４４０（例、インターネット）とモバイルオペレータコアネットワーク１４５０に結合されうる。下記で説明されるように、各フェムトノード１４１０は、関連づけられたアクセス端末１４２０（例、アクセス端末１４２０Ａ）、オプションでエーリアンアクセス端末１４２０（例、アクセス端末１４２０Ｂ）をサービス提供するように構成されうる。言い換えれば、フェムトノード１４１０へのアクセスは制約され、それによって、所与のアクセス端末１４２０は１セットの指定される（例、ホーム）フェムトノード（単数または複数）１４１０によってサービスされる場合があるが、任意の指定されないフェムトアクセスノード１４１０（例、近隣のフェムトアクセスノード１４１０）によってサービスされない場合がある。
【０１０５】
図１５は、いくつかのトラッキングエリア１５０２（またはルーティングエリアまたはロケーションエリア）が定義されるところのカバレッジエリアマップ１５００の例を図示し、それらのそれぞれは、いくつかのマクロカバレッジエリア１５０４を含む。ここでは、トラッキングエリア１５０２Ａ、１５０２Ｂ、および１５０２Ｃと関連づけられたカバレッジのエリアは、ワイドラインによって線引きされ、マクロカバレッジエリア１５０４は、六角形で表される。トラッキングエリア１５０２はまた、フェムトカバレッジエリアエリア１５０６を含む。この例では、フェムトカバレッジエリア１５０６の各々（例、フェムトカバレッジエリア１５０６Ｃ）は、マクロカバレッジエリア１５０４（例、マクロカバレッジエリア１５０４Ｂ）内で図示される。しかしながら、フェムトカバレッジエリア１５０６は、それ全体がマクロカバレッジエリア１５０４内に位置していないことがあることは言うまでもない。実際、大多数のフェムトカバレッジエリア１５０６は、所与のトラッキングエリア１５０２またはマクロカバレッジエリア１５０４内に定義されうる。また、１つまたは複数のピコカバレッジエリア（図示されず）は、所与のトラッキングエリア１５０２またはマクロカバレッジエリア１５０４内に定義されうる。
【０１０６】
再び図１４を参照すると、フェムトノード１４１０の所有者は、モバイルオペレータコアネットワーク１４５０を通じて提供される例えば３Ｇモバイルサービスのようなモバイルサービスに加入することができる。さらに、アクセス端末１４２０は、マクロの環境において、そして、より小さなスケールの（例、住居）ネットワーク環境において、の両方で動作することができる。言い換えれば、アクセス端末１４２０の現在の位置によって、アクセス端末１４２０は、マクロセルモバイルネットワーク１４５０のアクセスノード１４６０によって、または、１セットのフェムトノード１４１０（対応するユーザ住居１４３０内に存在するフェムトノード１４１０Ａおよび１４１０Ｂ）のうちのいずれか１つによって、サービスされうる。例えば、加入者が自宅の外にいる場合、スタンダードマクロアクセスノード（例、ノード１４６０）によってサービスされ、加入者が自宅にいる場合、フェムトノード（例、ノード１４１０Ａ）によってサービスされる。ここでは、フェムトノード１４２０は、既存のアクセス端末１４２０と下位互換性を有することはいうまでもない。
【０１０７】
フェムトノード１４１０は、単一の周波数上で、または、代替的には、複数の周波数上で、配置されうる。特定の構成によって、単一周波数または、複数周波数のうち１つまたは複数は、マクロノード（例、ノード１４６０）によって使用される１つまたは複数の周波数とオーバラップしうる。
【０１０８】
いくつかの態様では、アクセス端末１４２０は、このような接続が可能であるときにはいつでも、好ましいフェムトノード（例、アクセス端末１４２０のホームフェムトノード）に接続するように構成されうる。例えば、アクセス端末１４２０がユーザの住居１４３０内にあるときにはいつでも、アクセス端末１４２０がホームフェムトアクセスノード１４１０とのみ通信するということが望ましい。
【０１０９】
いくつかの態様では、アクセス端末１４２０がマクロセルラネットワーク１４５０内で動作するが、（例、好ましいローミングリストにおいて定義されるように）その最も好ましいネットワーク上で存在していない場合、アクセス端末１４２０は、良好なシステム再選択（Better System Reselection）（ＢＳＲ）を使用して最も好ましいネットワーク（例、好ましいフェムトアクセスノード１４１０）についてサーチすることを継続でき、そしてそれは、良好なシステムが現在利用可能であるかを決定する利用可能なシステムの周期的なスキャニング、そして、このような好ましいシステムと関連づけるその後の努力を含みうる。獲得エントリで、アクセス端末１４２０は、特定の帯域とチャネルに関するサーチを制限することができる。例えば、最も好ましいシステムに関するサーチは、周期的に繰り返されうる。好ましいフェムトノード１４１０を発見すると、アクセス端末１４２０は、そのカバレッジエリア内でキャンプするためにフェムトノード１４１０を選択する。
【０１１０】
フェムトノードは、いくつかの態様では制約されうる。例えば、所与のフェムトアクセスノードは、あるアクセス端末に対してあるサービスを提供のみすることができる。いわゆる制約された（またはクローズド）関連付けを伴う配置では、所与のアクセス端末は、マクロセルモバイルネットワークと、定義されるセットのフェムトノード（例、対応するユーザ住居１４３０内に存在するフェムトノード１４１０）によってのみサービス提供されうる。いくつかの実装では、ノードは、シグナリング、データアクセス、登録、ページング、あるいはサービス、のうち少なくとも１つを、少なくとも１つのノードに対して提供しないように制約されうる。
【０１１１】
いくつかの態様では、制約されたフェムトアクセスノード（これはクローズド加入者グループホームＮｏｄｅＢとも呼ばれる）は、制約された設定されたアクセス端末のセットに対してサービスを提供するものである。このセットは、必要に応じて、一時的または永久的に拡張されうる。いくつかの態様では、クローズド加入者グループ（ＣＳＧ）は、アクセス端末の共通のアクセス制御リストを共有する１セットのアクセスノード（例、フェムトノード）として定義されうる。領域においてすべてのフェムトノード（またはすべての制約されたフェムトノード）が作動するチャネルは、フェムトチャネルと呼ばれうる。
【０１１２】
したがって、所与のフェムトノードと所与のアクセス端末との間で、様々な関係が存在しうる。例えば、アクセス端末の観点から、オープンフェムトノードは、制約されていない関連を有するフェムトノードを指す。制約されたフェムトノードは、ある方法で制約される（例えば、関連付けおよび／または登録について制約される）フェムトノードを指す。ホームフェムトノードは、アクセス端末がアクセスし作動することが許可されるフェムトノードを指す。ゲストフェムトノードは、アクセス端末がアクセスし作動することが一時的に許可されるフェムトノードを指す。エーリアンフェムトノードは、おそらく緊急事態（例、９１１呼び出し）を除き、アクセス端末がアクセスまたは作動することを許可されないフェムトノードを指す。
【０１１３】
制約されたフェムトノードの観点から、ホームアクセス端末は、制約されたフェムトノードにアクセスすることを許可されたアクセス端末を指す。ゲストアクセス端末は、制約されたフェムトノードへの一時的アクセスを備えたアクセス端末を指す。エーリアンアクセス端末は、例えば９１１呼び出しのような、おそらく緊急事態を除き、制約されたフェムトノードにアクセスする許可を有していないアクセス端末（例、制約されたフェムトノードに登録する許可または資格を有していないアクセス端末）を指す。
【０１１４】
便宜上、ここにおける開示は、フェムトノードの文脈において、様々な機能を説明する。しかしながら、ピコノードは、より大きなカバレッジエリアに対して同じまたは同様な機能を提供することができるということは言うまでもない。例えば、ピコノードは制約されうる、ホームピコノードは所与のアクセス端末に関して定義されうる、など。
【０１１５】
ここにおいて説明された技法は、直交多重化スキームに基づく通信システムを含んでいる様々な通信システムに使用されうる。このような通信システムの例は、直交周波数分割多元接続（ＯＦＤＭＡ）システム、シングルキャリア周波数分割多元接続（ＳＣ−ＦＤＭＡ）システムなどを含む。ＯＦＤＭＡシステムは、直交周波数分割多重化（ＯＦＤＭ）を利用し、そしてそれは、全体のシステム帯域幅を複数の直交サブキャリアへと分割する変調技法である。これらのサブキャリアはまた、トーン、ビン、などと呼ばれうる。ＯＦＤＭを用いて、各サブキャリアは、データと独立して変調されうる。ＳＣ−ＦＤＭＡシステムは、システム帯域幅にわたって分散されたサブキャリア上で送信するインタリーブされたＦＤＭＡ（interleaved FDMA）（ＩＦＤＭＡ）、隣接するサブキャリアのブロック上で送信するローカライズされたＦＤＭＡ（localized FDMA）（ＬＦＤＭＡ）、または、隣接するサブキャリアの複数ブロック上で送信する強化ＦＤＭＡ（enhanced FDMA）（ＥＦＤＭＡ）、を利用しうる。一般に、変調シンボルは、ＯＦＤＭを用いて周波数領域で、およびＳＣ−ＦＤＭＡを用いて時間領域で、送信される。
【０１１６】
用語「決定すること（determining）」は広範囲の動作を含んでおり、したがって、「決定すること」は、計算すること、コンピュートすること、処理すること、導出すること、吟味すること（investigating）、ルックアップすること（looking up）（例えば、テーブル、データベース、または別のデータ構造においてルックアップすること）、確かめること（ascertaining）、および同様なものを包含することができる。また「決定すること」は、受信すること（例、情報を受信すること）、アクセスすること（例、メモリのデータにアクセスすること）、および同様なものを含みうる。また、「決定すること」は、解決すること（resolving）、選択すること（selecting）、選ぶこと（choosing）、確立すること（establishing）、および同様なものを含みうる。
【０１１７】
フレーズ「に基づいている（based on）」は、明確に他の言葉で指定されていないかぎり、「にのみ基づいている（based only on）」を意味していない。言いかえれば、フレーズ「に基づいている（based on）」は、「にのみに基づいている（based only on）」と「に少なくとも基づいている（based at least on）」の両方を説明する。
【０１１８】
用語「プロセッサ」は、汎用プロセッサ、中央処理装置（ＣＰＵ）、マイクロプロセッサ、デジタルシグナルプロセッサ（ＤＳＰ）、コントローラ、マイクロコントローラ、ステートマシンなどを包含するように広く解釈されるべきである。いくつかの環境の下では、「プロセッサ」は特定用途向け集積回路（ＡＳＩＣ）、プログラマブル論理回路（ＰＬＤ）、フィールドプログラマブルゲートアレイなど（ＦＰＧＡ）を指すことがある。用語「プロセッサ」は、処理デバイスの組み合わせ、例えばＤＳＰとマイクロプロセッサの組み合わせ、複数のマイクロプロセッサ、ＤＳＰコアと併せて１つまたは複数のマイクロプロセッサ、またはいずれの他のそのような構成、を指すことがある。
【０１１９】
用語「メモリ」は、電子情報を格納することができるいずれの電子コンポーネントも包含するように広く解釈されるべきである。用語メモリは、ランダムアクセスメモリ（ＲＡＭ）、読み出し専用メモリ（ＲＯＭ）、不揮発性ランダムアクセスメモリ（ＮＶＲＡＭ）、プログラマブル読取専用メモリ（ＰＲＯＭ）、消去可能プログラマブル読取専用メモリ（ＥＰＲＯＭ）、電気的消去可能ＰＲＯＭ（ＥＥＰＲＯＭ）、フラッシュメモリ、磁気または光学のデータストレージ、レジスタなどのような様々なタイプのプロセッサ可読媒体を指すことがある。プロセッサがメモリから情報を読み取ることができるおよび／またはメモリに対して情報を書き込むことができる場合には、メモリは、プロセッサと電子通信していると言われる。プロセッサに一体化しているメモリは、プロセッサと電子通信している。
【０１２０】
用語「命令」、「コード」は、いずれのタイプのコンピュータ可読ステートメント（単数または複数）を含むように広く解釈されるべきである。例えば、用語「命令」と「コード」は、１つまたは複数のプログラム、ルーチン、サブルーチン、機能、プロシージャなどを指すことがある。「命令」と「コード」は、１つのコンピュータ可読ステートメントまたは多くのコンピュータ可読ステートメントを備えることができる。
【０１２１】
ここにおいて説明された機能は、ハードウェアによって実行されているソフトウェアまたはファームウェアにおいて実装されうる。機能は、コンピュータ可読媒体上で、１つまたは複数の命令として、格納されうる。用語「コンピュータ可読媒体」または「コンピュータプログラムプロダクト」は、コンピュータまたはプロセッサによってアクセスされうるいずれの有形記憶媒体を指す。限定するものではなく例として、コンピュータ可読媒体は、ＲＡＭ、ＲＯＭ、ＥＥＰＲＯＭ、ＣＤ−ＲＯＭあるいは他の光学ディスクストレージ、磁気ディスクストレージあるいは他の磁気ストレージデバイス、または、命令もしくはデータストラクチャの形態で所望プログラムコードを格納あるいは搬送するために使用されることができ、また、コンピュータによってアクセスされることができる、他の任意の媒体を備えることができる。ここに使用されているように、ディスク（disk）とディスク（disc）は、コンパクトディスク（compact disc）（ＣＤ）、レーザーディスク（登録商標）（laser disc）、光学ディスク（optical disc）、デジタル汎用ディスク（digital versatile disc）（ＤＶＤ）、フロッピー（登録商標）ディスク（disk）およびブルーレイディスク（Blu-ray disc）を含んでおり、「ディスク（disks）」は、大抵、データを磁気的に再生するが、「ディスク（discs）」は、レーザーで光学的に再生する。
【０１２２】
ここにおいて開示される方法は、説明される方法を達成するための１以上のステップまたは動作を備える。方法のステップおよび／または動作は、特許請求の範囲から逸脱することなく互いに置き換えられることができる。言いかえれば、ステップまたは動作の具体的な順序は説明されている方法の適切な動作に必要とされない限り、具体的なステップおよび／または動作の順序および／または使用は、特許請求の範囲から逸脱することなく変更されうる。
【０１２３】
さらに、ここで説明される方法および技法を実行するためのモジュールおよび／または他の適切な手段、例えば図３−４および７−９で図示されているようなものは、ダウンロードされることができる、および／または、そうでない場合には、デバイスによって得られることができる、ということは理解されるべきである。例えば、デバイスは、ここにおいて記載される方法を実行する手段の転送を容易にするためにサーバに結合されうる。あるいは、ここで説明される様々な方法は、ストレージ手段（例、ランダムアクセスメモリ（ＲＡＭ）、読み出し専用メモリ（ＲＯＭ）、コンパクトディスク（ＣＤ）またはフロッピーディスクのような物理ストレージ媒体等）を介して提供されうるので、デバイスは、デバイスにストレージ手段を結合または提供するときに、様々な方法を得ることができる。
【０１２４】
本願の請求項は、厳密な構成および上記で図示される構成要件に限定されないということは理解されるべきである。様々な修正、変更、および変形は、特許請求の範囲から逸脱することなく、配置（arrangement）、オペレーション、および、ここにおいて記載されるシステム、方法、および装置の詳細において行われることができる。
以下に、本願出願の当初の特許請求の範囲に記載された発明を付記する。
［Ｃ１］  無線通信デバイスに対する干渉を低減するための方法であって、
無線通信デバイスからハンドオフリクエストを受信することと、
前記ハンドオフリクエストのハンドインターゲットであるフェムトアクセスポイントを決定することと、
前記フェムトアクセスポイントへハンドオフ情報メッセージを送信することと、
を備える方法。
［Ｃ２］  前記方法は、コアネットワーク装置によって実行される、Ｃ１記載の方法。
［Ｃ３］  前記ハンドオフ情報メッセージは、前記フェムトアクセスポイントは前記ハンドオフリクエストの前記ハンドインターゲットであることを示す情報を含む、Ｃ１記載の方法。
［Ｃ４］  前記ハンドオフ情報メッセージは、前記ハンドインターゲットが送信電力を調整する指示を含む、Ｃ１記載の方法。
［Ｃ５］  前記ハンドオフ情報メッセージは、前記ハンドインターゲットが異なるキャリアへ切り替わる指示を含む、Ｃ１記載の方法。
［Ｃ６］  前記無線通信デバイスは、前記フェムトアクセスポイントに関連するクローズド加入者グループ（ＣＳＧ）の部分ではない、Ｃ１記載の方法。
［Ｃ７］  前記無線通信デバイスは、前記フェムトアクセスポイントの近くにある、Ｃ１記載の方法。
［Ｃ８］  前記無線通信デバイスは、基地局から前記フェムトアクセスポイントへのハンドオフをリクエストする、Ｃ１記載の方法。
［Ｃ９］  前記基地局は、マクロ基地局である、Ｃ８記載の方法。
［Ｃ１０］  前記基地局は、別のフェムトアクセスポイントである、Ｃ８記載の方法。
［Ｃ１１］  前記ハンドオフリクエストのハンドインターゲットであるフェムトアクセスポイントを決定することは、
可能性のあるハンドインターゲットのリストを決定することと、
前記無線通信デバイスについてのアップリンク測定値のリクエストを各可能性のあるハンドインターゲットへ送信することと、
各可能性のあるハンドインターゲットから、前記無線通信デバイスについてのアップリンク測定値を受信することと、
前記可能性のあるハンドインターゲットのリストから前記ハンドインターゲットを推定することと、
を備えるＣ１記載の方法。
［Ｃ１２］  可能性のあるハンドインターゲットのそれぞれは、フェムトアクセスポイントである、Ｃ１１記載の方法。
［Ｃ１３］  前記ハンドオフリクエストは、前記ハンドインターゲットをユニークに識別するには十分ではなく、
前記ハンドオフリクエストは、前記ハンドインターゲットから受信された信号のダウンリンクパイロット信号対雑音比（ＳＮＲ）と前記ハンドインターゲットの疑似雑音（ＰＮ）コードとを含む、
Ｃ１１記載の方法。
［Ｃ１４］  可能性のあるハンドインターゲットのそれぞれは、同じＰＮコードを使用する、Ｃ１１記載の方法。
［Ｃ１５］  アップリンク測定値は、前記無線通信デバイスからの、可能性のあるハンドインターゲットにより受信されたアップリンク信号強度の測定値を含む、Ｃ１１記載の方法。
［Ｃ１６］  前記アップリンク測定値のリクエストは、前記無線通信デバイスのアップリンク動作周波数を含む、Ｃ１１記載の方法。
［Ｃ１７］  前記ハンドオフリクエストのハンドインターゲットであるフェムトアクセスポイントを決定することは、前記フェムトアクセスポイントから受信されるオーバーヘッドメッセージを用いて達成される、Ｃ１記載の方法。
［Ｃ１８］  無線通信デバイスに対する干渉を低減するために構成された無線デバイスであって、  プロセッサと、
前記プロセッサと電子通信するメモリと、
前記メモリに記憶された命令と、
を備え、前記命令は、前記プロセッサによって、
無線通信デバイスからハンドオフリクエストを受信することと、
前記ハンドオフリクエストのハンドインターゲットであるフェムトアクセスポイントを決定することと、
前記フェムトアクセスポイントへハンドオフ情報メッセージを送信することと、
が実行可能である、
無線通信デバイス。
［Ｃ１９］  前記無線デバイスは、コアネットワーク装置である、Ｃ１８に記載のデバイス。
［Ｃ２０］  前記ハンドオフ情報メッセージは、前記フェムトアクセスポイントは前記ハンドオフリクエストの前記ハンドインターゲットであることを示す情報を含む、Ｃ１８記載のデバイス。
［Ｃ２１］  前記ハンドオフ情報メッセージは、前記ハンドインターゲットが異なるキャリアへ切り替わる指示を含む、Ｃ１８記載のデバイス。
［Ｃ２２］  前記ハンドオフ情報メッセージは、前記ハンドインターゲットが異なるキャリアへ切り替わる指示を含む、Ｃ１８記載のデバイス。
［Ｃ２３］  前記無線通信デバイスは、前記フェムトアクセスポイントに関連するクローズド加入者グループ（ＣＳＧ）の部分ではない、Ｃ１８記載のデバイス。
［Ｃ２４］  前記無線通信デバイスは、前記フェムトアクセスポイントの近くにある、Ｃ２３記載のデバイス。
［Ｃ２５］  前記無線通信デバイスは、基地局から前記フェムトアクセスポイントへのハンドオフをリクエストする、Ｃ１８記載のデバイス。
［Ｃ２６］  前記基地局は、マクロ基地局である、Ｃ２５記載のデバイス。
［Ｃ２７］  前記基地局は、別のフェムトアクセスポイントである、Ｃ２５記載のデバイス。
［Ｃ２８］  前記ハンドオフリクエストのハンドインターゲットであるフェムトアクセスポイントを決定することは、
可能性のあるハンドインターゲットのリストを決定することと、
前記無線通信デバイスについてのアップリンク測定値のリクエストを各可能性のあるハンドインターゲットへ送信することと、
各可能性のあるハンドインターゲットから、前記無線通信デバイスについてのアップリンク測定値を受信することと、
前記可能性のあるハンドインターゲットのリストから前記ハンドインターゲットを推定することと、
を備えるＣ１に記載のデバイス。
［Ｃ２９］  可能性のあるハンドインターゲットのそれぞれは、フェムトアクセスポイントである、Ｃ２８記載のデバイス。
［Ｃ３０］  前記ハンドオフリクエストは、前記ハンドインターゲットをユニークに識別するには十分ではなく、
前記ハンドオフリクエストは、前記ハンドインターゲットから受信された信号のダウンリンクパイロット信号対雑音比（ＳＮＲ）と前記ハンドインターゲットの疑似雑音（ＰＮ）コードとを含む、
Ｃ２８記載のデバイス。
［Ｃ３１］  可能性のあるハンドインターゲットのそれぞれは、同じＰＮコードを使用する、Ｃ３０記載のデバイス。
［Ｃ３２］  アップリンク測定値は、前記無線通信デバイスからの、可能性のあるハンドインターゲットにより受信されたアップリンク信号強度の測定値を含む、Ｃ２８記載のデバイス。
［Ｃ３３］  前記アップリンク測定値のリクエストは、前記無線通信デバイスのアップリンク動作周波数を含む、Ｃ２８記載のデバイス。
［Ｃ３４］  前記ハンドオフリクエストのハンドインターゲットであるフェムトアクセスポイントを決定することは、前記フェムトアクセスポイントから受信されるオーバーヘッドメッセージを用いて達成される、Ｃ１８記載のデバイス。
［Ｃ３５］  フェムトアクセスデバイスにより、無線通信デバイスに対する干渉を低減するための方法であって、
ハンドオフ情報メッセージを受信することと、前記ハンドオフ情報メッセージは、無線通信デバイスが前記フェムトアクセスポイントにより送信された信号を受信していることを示し、前記無線通信デバイスは、前記フェムトアクセスポイントに関連するクローズド加入者グループ（ＣＳＧ）の部分ではない、
前記フェムトアクセスポイントから前記無線通信デバイスへの干渉を制限することと、  を備える方法。
［Ｃ３６］  前記干渉を制限することは、前記フェムトアクセスポイントの送信電力を調整することを含む、Ｃ３５記載の方法。
［Ｃ３７］  前記ハンドオフ情報メッセージは、前記フェムトアクセスポイントが使用するための新たな送信電力を含む、Ｃ３６記載の方法。
［Ｃ３８］  前記干渉を制限することは、異なるキャリアへ切り替えることを含む、Ｃ３６記載の方法。
［Ｃ３９］  前記ハンドオフ情報メッセージは、前記フェムトアクセスポイントが使用するための前記異なるキャリアを含む、Ｃ３８記載の方法。
［Ｃ４０］  前記ハンドオフ情報メッセージは、コアネットワークにより送信される、Ｃ３５記載の方法。
［Ｃ４１］  前記コアネットワークから、前記無線通信デバイスについてのアップリンク測定値のリクエストを受信することと、前記アップリンク測定値のリクエストは、前記無線通信デバイスのアップリンクパイロット周波数を含み、
前記無線通信デバイスの前記アップリンクパイロット周波数に合わせることと、
前記無線通信デバイスからのアップリンク信号を受信することと、
前記受信されたアップリンク信号からアップリンク測定値を生成することと、
前記アップリンク測定値を前記コアネットワークへ送信することと、
をさらに備えるＣ４０記載の方法。
［Ｃ４２］  前記無線通信デバイスは、基地局とアクティブな呼があり、
前記ハンドオフ情報メッセージは、前記無線通信デバイスが前記基地局から前記フェムトアクセスポイントへハンドオフしようとしていることを示す、
Ｃ３５記載の方法。
［Ｃ４３］  無線通信デバイスに対する干渉を低減するように構成された無線デバイスであって、
プロセッサと、
前記プロセッサと電子通信するメモリと、
前記メモリに記憶された命令と、
を備え、前記命令は、前記プロセッサによって、
ハンドオフ情報メッセージを受信することと、前記ハンドオフ情報メッセージは、無線通信デバイスが前記フェムトアクセスポイントにより送信された信号を受信していることを示し、前記無線通信デバイスは、前記フェムトアクセスポイントに関連するクローズド加入者グループ（ＣＳＧ）の部分ではない、
前記フェムトアクセスポイントから前記無線通信デバイスへの干渉を制限することと、  が実行可能である、
無線デバイス。
［Ｃ４４］  前記干渉を制限することは、前記フェムトアクセスポイントの送信電力を調整することを含む、Ｃ４３記載の無線デバイス。
［Ｃ４５］  前記ハンドオフ情報メッセージは、前記フェムトアクセスポイントが使用するための新たな送信電力を含む、Ｃ４４記載の無線デバイス。
［Ｃ４６］  前記干渉を制限することは、異なるキャリアへ切り替えることを含む、Ｃ４３記載の無線デバイス。
［Ｃ４７］  前記ハンドオフ情報メッセージは、前記フェムトアクセスポイントが使用するための前記異なるキャリアを含む、Ｃ４６記載の無線デバイス。
［Ｃ４８］  前記ハンドオフ情報メッセージは、コアネットワークにより送信される、Ｃ４３記載の無線デバイス。
［Ｃ４９］  前記命令は、さらに、
前記コアネットワークから、前記無線通信デバイスについてのアップリンク測定値のリクエストを受信することと、前記アップリンク測定値のリクエストは、前記無線通信デバイスのアップリンクパイロット周波数を含み、
前記無線通信デバイスの前記アップリンクパイロット周波数に合わせることと、
前記無線通信デバイスからのアップリンク信号を受信することと、
前記受信されたアップリンク信号からアップリンク測定値を生成することと、
前記アップリンク測定値を前記コアネットワークへ送信することと、
が実行可能である、Ｃ４８記載の無線デバイス。
［Ｃ５０］  前記無線通信デバイスは、基地局とアクティブな呼があり、
前記ハンドオフ情報メッセージは、前記無線通信デバイスが前記基地局から前記フェムトアクセスポイントへハンドオフしようとしていることを示す、
Ｃ４３記載の無線デバイス。
［Ｃ５１］  無線通信デバイスに対する干渉を低減するように構成された無線デバイスであって、  無線通信デバイスからハンドオフリクエストを受信する手段と、
前記ハンドオフリクエストのハンドインターゲットであるフェムトアクセスポイントを決定する手段と、
前記フェムトアクセスポイントへハンドオフ情報メッセージを送信する手段と、
を備える無線デバイス。
［Ｃ５２］  無線通信デバイスに対する干渉を低減するためのコンピュータプログラムプロダクトであって、前記コンピュータプログラムプロダクトは、命令を有するコンピュータ可読媒体を備え、前記命令は、
少なくとも１つのコンピュータに、無線通信デバイスからハンドオフリクエストを受信させるコードと、
少なくとも１つのコンピュータに、前記ハンドオフリクエストのハンドインターゲットであるフェムトアクセスポイントを決定させるコードと、
少なくとも１つのコンピュータに、前記フェムトアクセスポイントへハンドオフ情報メッセージを送信させるコードと、
を備える、
コンピュータプログラムプロダクト。
［Ｃ５３］  無線デバイスに対する干渉を低減するように構成された無線デバイスであって、
ハンドオフ情報メッセージを受信する手段と、前記ハンドオフ情報メッセージは、無線デバイスが前記フェムトアクセスポイントにより送信された信号を受信していることを示し、前記無線デバイスは、前記フェムトアクセスポイントに関連するクローズド加入者グループ（ＣＳＧ）の部分ではない、
前記フェムトアクセスポイントから前記無線デバイスへの干渉を制限する手段と、
を備える無線デバイス。
［Ｃ５４］  無線通信デバイスに対する干渉を低減するためのコンピュータプログラムプロダクトであって、前記コンピュータプログラムプロダクトは、命令を有するコンピュータ可読媒体を備え、前記命令は、
少なくとも１つのコンピュータに、ハンドオフ情報メッセージを受信させるコードと、前記ハンドオフ情報メッセージは、無線通信デバイスが前記フェムトアクセスポイントにより送信された信号を受信していることを示し、前記無線通信デバイスは、前記フェムトアクセスポイントに関連するクローズド加入者グループ（ＣＳＧ）の部分ではない、
少なくとも１つのコンピュータに、前記フェムトアクセスポイントから前記無線通信デバイスへの干渉を制限させるコードと、
を備える、
コンピュータプログラムプロダクト。
［Ｃ５５］  無線通信デバイスに対する干渉を低減するための方法であって、
無線通信デバイスからハンドオフリクエストを受信することと、
前記ハンドオフリクエストのハンドインターゲットであるフェムトアクセスポイントを決定することと、
前記フェムトアクセスポイントへハンドオフ情報メッセージを送信することと、
前記無線通信デバイスに対する干渉を制限するために、前記フェムトアクセスポイントにおいて、送信電力およびキャリア調整を行うことと、
を備える方法。
【図１】
0005461692.tif 000002
【図２】
0005461692.tif 000003
【図３】
0005461692.tif 000004
【図３Ａ】
0005461692.tif 000005
【図４】
0005461692.tif 000006
【図４Ａ】
0005461692.tif 000007
【図５】
0005461692.tif 000008
【図６】
0005461692.tif 000009
【図７】
0005461692.tif 000010
【図７Ａ】
0005461692.tif 000011
【図８】
0005461692.tif 000012
【図８Ａ】
0005461692.tif 000013
【図９】
0005461692.tif 000014
【図９Ａ】
0005461692.tif 000015
【図１０】
0005461692.tif 000016
【図１１】
0005461692.tif 000017
【図１２】
0005461692.tif 000018
【図１３】
0005461692.tif 000019
【図１４】
0005461692.tif 000020
【図１５】
0005461692.tif 000021